(57)【要約】【課題】小型化と高性能化と大口径化を図るとともに、長い焦点距離域を網羅し、好適なフォーカシングを実現可能なズームレンズ系、交換レンズ及び撮影装置を提供する。【解決手段】正の第１レンズ群、負の第２レンズ群、負の第３レンズ群、正の後続レンズ群から構成されるズームレンズ系。第３レンズ群は、フォーカシングレンズ群を構成する。後続レンズ群は、負の屈折力の第Ｎレンズ群を有する。次の条件式（１）を満足する。（１）−２０＜Ｔｗｔ／Ｔｗｍ＜１但し、Ｔｗｔ：短焦点距離端から長焦点距離端への変倍に際する第２レンズ群の移動量、Ｔｗｍ：短焦点距離端から中間焦点距離への変倍に際する第２レンズ群の移動量。【選択図】図１
2020154286.tif 000002
【特許請求の範囲】
【請求項１】
物体側から順に、正の屈折力の第１レンズ群と、負の屈折力の第２レンズ群と、負の屈折力の第３レンズ群と、正の屈折力の後続レンズ群とから構成されており、
短焦点距離端から長焦点距離端への変倍に際し、隣接する各レンズ群の間隔が変化し、
第３レンズ群は、フォーカシング時に移動するフォーカシングレンズ群を構成しており、
後続レンズ群は、短焦点距離端から長焦点距離端への変倍に際し、隣接する各レンズ群との間隔が変化する負の屈折力の第Ｎレンズ群を有しており、
次の条件式（１）を満足することを特徴とするズームレンズ系。
（１）−２０＜Ｔｗｔ／Ｔｗｍ＜１
但し、
Ｔｗｔ：短焦点距離端から長焦点距離端への変倍に際する第２レンズ群の移動量（物体側への移動量を正の符号で示し、像側への移動量を負の符号で示す）、
Ｔｗｍ：短焦点距離端から中間焦点距離への変倍に際する第２レンズ群の移動量（物体側への移動量を正の符号で示し、像側への移動量を負の符号で示す）、
中間焦点距離：中間焦点距離ｆｍ＝（ｆｗ・ｆｔ）１／２、ｆｗは短焦点距離端における全系の焦点距離、ｆｔは長焦点距離端における全系の焦点距離。
【請求項２】
次の条件式（２）を満足することを特徴とする請求項１に記載のズームレンズ系。
（２）２．０＜ｆｒｗ／Ｙａ＜３．５
但し、
ｆｒｗ：短焦点距離端における無限遠合焦時の後続レンズ群の焦点距離、
Ｙａ：最大像高。
【請求項３】
物体側から順に、正の屈折力の第１レンズ群と、負の屈折力の第２レンズ群と、負の屈折力の第３レンズ群と、正の屈折力の後続レンズ群とから構成されており、
短焦点距離端から長焦点距離端への変倍に際し、隣接する各レンズ群の間隔が変化し、
第３レンズ群は、フォーカシング時に移動するフォーカシングレンズ群を構成しており、
後続レンズ群は、短焦点距離端から長焦点距離端への変倍に際し、隣接する各レンズ群との間隔が変化する負の屈折力の第Ｎレンズ群を有しており、
次の条件式（２）を満足することを特徴とするズームレンズ系。
（２）２．０＜ｆｒｗ／Ｙａ＜３．５
但し、
ｆｒｗ：短焦点距離端における無限遠合焦時の後続レンズ群の焦点距離、
Ｙａ：最大像高。
【請求項４】
次の条件式（３）、（４）を満足することを特徴とする請求項１から請求項３のいずれかに記載のズームレンズ系。
（３）２．０＜｜ｆ３／ｆｆｗ｜＜５．０
（４）１．０＜｜ｆ３／ｆｆｔ｜＜４．０
但し、
ｆ３：第３レンズ群の焦点距離、
ｆｆｗ：短焦点距離端における無限遠合焦時の第１レンズ群と第２レンズ群と第３レンズ群の合成焦点距離、
ｆｆｔ：長焦点距離端における無限遠合焦時の第１レンズ群と第２レンズ群と第３レンズ群の合成焦点距離。
【請求項５】
次の条件式（５）を満足することを特徴とする請求項１から請求項４のいずれかに記載のズームレンズ系。
（５）０．１＜ｆ２／ｆ３＜０．７
但し、
ｆ２：第２レンズ群の焦点距離、
ｆ３：第３レンズ群の焦点距離。
【請求項６】
第３レンズ群は、負レンズと正レンズの２枚のレンズから構成されている請求項１から請求項５のいずれかに記載のズームレンズ系。
【請求項７】
次の条件式（６）を満足することを特徴とする請求項１から請求項６のいずれかに記載のズームレンズ系。
（６）０．１＜Ｒ３ｇｆ／Ｒ２ｇｒ＜５．０
但し、
Ｒ３ｇｆ：第３レンズ群の最も物体側の面の曲率半径、
Ｒ２ｇｒ：第２レンズ群の最も像側の面の曲率半径。
【請求項８】
次の条件式（７）を満足することを特徴とする請求項１から請求項７のいずれかに記載のズームレンズ系。
（７）１．５＜Ｂｆｗ／Ｙａ＜４．０
但し、
Ｂｆｗ：短焦点距離端における無限遠合焦時の後続レンズ群の最も像側の面から像面までの空気換算距離、
Ｙａ：最大像高。
【請求項９】
次の条件式（８）を満足することを特徴とする請求項１から請求項８のいずれかに記載のズームレンズ系。
（８）１．５＜Ｂｆｗ／ｆｗ＜４．０
但し、
Ｂｆｗ：短焦点距離端における無限遠合焦時の後続レンズ群の最も像側の面から像面までの空気換算距離、
ｆｗ：短焦点距離端における無限遠合焦時の全系の焦点距離。
【請求項１０】
次の条件式（９）を満足することを特徴とする請求項１から請求項９のいずれかに記載のズームレンズ系。
（９）２．５＜ｆ１／ｆｗ＜６．０
但し、
ｆ１：第１レンズ群の焦点距離、
ｆｗ：短焦点距離端における無限遠合焦時の全系の焦点距離。
【請求項１１】
第２レンズ群または第３レンズ群は少なくとも１枚の正レンズを有し、次の条件式（１０）を満足することを特徴とする請求項１から請求項１０のいずれかに記載のズームレンズ系。
（１０）２５＜νｐＭＡＸ＜４５
但し、
νｐＭＡＸ：第２レンズ群または第３レンズ群が有する正レンズのうちｄ線に対するアッベ数が最大の正レンズの当該アッベ数。
【請求項１２】
短焦点距離端から長焦点距離端への変倍に際して第１レンズ群が像側から物体側へ移動し、次の条件式（１１）を満足することを特徴とする請求項１から請求項１１のいずれかに記載のズームレンズ系。
（１１）１．５＜ｆ１／Ｔｗｔ１＜７．０
但し、
ｆ１：第１レンズ群の焦点距離、
Ｔｗｔ１：短焦点距離端から長焦点距離端への変倍に際する第１レンズ群の移動量（物体側への移動量を正の符号で示し、像側への移動量を負の符号で示す）。
【請求項１３】
次の条件式（１２）を満足することを特徴とする請求項１から請求項１２のいずれかに記載のズームレンズ系。
（１２）−２０．０＜ｆ１／ｆ２３ｗ＜−３．０
但し、
ｆ１：第１レンズ群の焦点距離、
ｆ２３ｗ：短焦点距離端における無限遠合焦時の第２レンズ群と第３レンズ群の合成焦点距離。
【請求項１４】
次の条件式（１３）を満足することを特徴とする請求項１から請求項１３のいずれかに記載のズームレンズ系。
（１３）０．２０＜Ｄ（２Ｒ−３Ｆ）Ｔ／Ｄ（２Ｆ−３Ｒ）Ｔ＜０．６０
但し、
Ｄ（２Ｒ−３Ｆ）Ｔ：長焦点距離端における無限遠合焦時の第２レンズ群の最終面から第３レンズ群の先頭面までの光軸方向の間隔、
Ｄ（２Ｆ−３Ｒ）Ｔ：長焦点距離端における無限遠合焦時の第２レンズ群の先頭面から第３レンズ群の最像面までの光軸方向の総厚。
【請求項１５】
次の条件式（１４）を満足することを特徴とする請求項１から請求項１４のいずれかに記載のズームレンズ系。
（１４）１．００＜（１−Ｍｔ＾２）×ＭＲｔ＾２＜８．００
但し、
Ｍｔ：長焦点距離端における無限遠合焦時の第３レンズ群の横倍率、
ＭＲｔ：長焦点距離端における無限遠合焦時の後続レンズ群の横倍率。
【請求項１６】
全焦点距離域に亘ってＦナンバーが３以下であることを特徴とする請求項１から請求項１５のいずれかに記載のズームレンズ系。
【請求項１７】
後続レンズ群は、物体側から順に、正の屈折力の第４レンズ群と、第Ｎレンズ群としての負の屈折力の第５レンズ群と、正の屈折力の第６レンズ群とから構成されていることを特徴とする請求項１から請求項１６のいずれかに記載のズームレンズ系。
【請求項１８】
請求項１から請求項１７のいずれかに記載のズームレンズ系を有する交換レンズ。
【請求項１９】
請求項１から請求項１７のいずれかに記載のズームレンズ系を有する撮影装置。
【発明の詳細な説明】
【技術分野】
【０００１】
本発明は、ズームレンズ系、交換レンズ及び撮影装置に関する。
【背景技術】
【０００２】
例えば、レンズ交換式カメラ用の交換レンズに対するユーザからの要求は多岐にわたる。その中でも特に、Ｆナンバーが３を切る程度の大口径であって、３５ｍｍフィルム換算で２４ｍｍ〜７０ｍｍ程度の標準域ズームレンズ、および２８ｍｍ〜１５０ｍｍ程度の標準域を含む比較的高倍率なズームレンズというカテゴリがユーザから一定の支持を得ており期待も大きい。また、ユーザからの要望として大きいものは、ある程度小型で高性能であることに加えて、近接撮影が可能なこと、オートフォーカス速度が速いこと、オートフォーカス作動音が静粛であることが挙げられる。
【０００３】
ここで、高性能化という面では、例えば、２０００万画素〜４０００万画素以上の撮像素子に対応した解像力を有することに加えて、絞り開放からコマフレアが少なく高コントラストで画角の周辺部まで点像の崩れがないこと、色収差が少なく輝度差の大きな部分にも不要な色付きを生じないこと、歪曲収差が少なく直線を直線として描写可能なこと等が要求される。ある程度小型であるという面では、フィルタ径が小さく、全長方向サイズも抑制されていることが望ましい。近接撮影という面では、全てのズーム域において、０．３ｍ程度の撮影距離が確保可能なことが望ましい。オートフォーカス時の速度および静粛性の向上という面では、フォーカシングに必要な移動量を小さくし、フォーカシング機構の駆動源に対する負荷をなるべく抑制することが望ましく、フォーカシング部の光学系の屈折力の最適化や小型化、被駆動部の軽量化、駆動方法の簡素化が要求される。
【０００４】
レンズ交換式カメラに対応するためのバックフォーカス量を確保しながら、高性能且つフォーカシングの高速化に好適なズームタイプとして、正の屈折力の第１レンズ群、負の屈折力の第２レンズ群、負の屈折力の第３レンズ群、正の屈折力の後続レンズ群から構成され、第３レンズ群をフォーカスレンズ群とする構成が知られている（例えば特許文献１〜特許文献３）。
【先行技術文献】
【特許文献】
【０００５】
【特許文献１】特許第５５８５７１９号公報
【特許文献２】特許第５２４７２１２号公報
【特許文献３】特許第５８８８０３８号公報
【発明の概要】
【発明が解決しようとする課題】
【０００６】
しかしながら、特許文献１は、長焦点距離端の焦点距離がやや短く標準域ズームレンズとしては十分なズーム域を確保できているとは言い難い。特許文献２は、短焦点距離端のＦナンバーが３．６程度、長焦点距離端のＦナンバーが５程度と比較的暗く、大口径とは言い難い。特許文献３も、短焦点距離端のＦナンバーが３．６程度、長焦点距離端のＦナンバーが５．６程度と比較的暗く、大口径とは言い難い。
【０００７】
本発明は、以上の点に鑑みてなされたものであり、小型化と高性能化と大口径化を図るとともに、長い焦点距離域を網羅し、好適なフォーカシングを実現可能なズームレンズ系、交換レンズ及び撮影装置を提供することを目的とする。
【課題を解決するための手段】
【０００８】
本実施形態のズームレンズ系は、物体側から順に、正の屈折力の第１レンズ群と、負の屈折力の第２レンズ群と、負の屈折力の第３レンズ群と、正の屈折力の後続レンズ群とから構成されており、短焦点距離端から長焦点距離端への変倍に際し、隣接する各レンズ群の間隔が変化し、第３レンズ群は、フォーカシング時に移動するフォーカシングレンズ群を構成しており、後続レンズ群は、短焦点距離端から長焦点距離端への変倍に際し、隣接する各レンズ群との間隔が変化する負の屈折力の第Ｎレンズ群を有しており、次の条件式（１）を満足することを特徴としている。
（１）−２０＜Ｔｗｔ／Ｔｗｍ＜１
但し、
Ｔｗｔ：短焦点距離端から長焦点距離端への変倍に際する第２レンズ群の移動量（物体側への移動量を正の符号で示し、像側への移動量を負の符号で示す）、
Ｔｗｍ：短焦点距離端から中間焦点距離への変倍に際する第２レンズ群の移動量（物体側への移動量を正の符号で示し、像側への移動量を負の符号で示す）、
中間焦点距離：中間焦点距離ｆｍ＝（ｆｗ・ｆｔ）１／２、ｆｗは短焦点距離端における無限遠合焦時の全系の焦点距離、ｆｔは長焦点距離端における無限遠合焦時の全系の焦点距離、
である。
【０００９】
本実施形態のズームレンズ系は、物体側から順に、正の屈折力の第１レンズ群と、負の屈折力の第２レンズ群と、負の屈折力の第３レンズ群と、正の屈折力の後続レンズ群とから構成されており、短焦点距離端から長焦点距離端への変倍に際し、隣接する各レンズ群の間隔が変化し、第３レンズ群は、フォーカシング時に移動するフォーカシングレンズ群を構成しており、後続レンズ群は、短焦点距離端から長焦点距離端への変倍に際し、隣接する各レンズ群との間隔が変化する負の屈折力の第Ｎレンズ群を有しており、次の条件式（２）を満足することを特徴としている。
（２）２．０＜ｆｒｗ／Ｙａ＜３．５
但し、
ｆｒｗ：短焦点距離端における無限遠合焦時の後続レンズ群の焦点距離、
Ｙａ：最大像高、
である。
【００１０】
本実施形態の交換レンズ及び撮影装置は、上述したいずれかのズームレンズ系を有している。
【発明の効果】
【００１１】
本発明によれば、小型化と高性能化と大口径化を図るとともに、長い焦点距離域を網羅し、好適なフォーカシングを実現可能なズームレンズ系、交換レンズ及び撮影装置を提供することができる。
【図面の簡単な説明】
【００１２】
【図１】数値実施例１のズームレンズ系のレンズ構成図である。
【図２】数値実施例２のズームレンズ系のレンズ構成図である。
【図３】数値実施例３のズームレンズ系のレンズ構成図である。
【図４】数値実施例４のズームレンズ系のレンズ構成図である。
【図５】数値実施例５のズームレンズ系のレンズ構成図である。
【図６】数値実施例６のズームレンズ系のレンズ構成図である。
【図７】数値実施例７のズームレンズ系のレンズ構成図である。
【図８】数値実施例８のズームレンズ系のレンズ構成図である。
【図９】数値実施例９のズームレンズ系のレンズ構成図である。
【図１０】数値実施例１のズームレンズ系の短焦点距離端における収差曲線図である。
【図１１】数値実施例１のズームレンズ系の中間焦点距離における収差曲線図である。
【図１２】数値実施例１のズームレンズ系の長焦点距離端における収差曲線図である。
【図１３】数値実施例２のズームレンズ系の短焦点距離端における収差曲線図である。
【図１４】数値実施例２のズームレンズ系の中間焦点距離における収差曲線図である。
【図１５】数値実施例２のズームレンズ系の長焦点距離端における収差曲線図である。
【図１６】数値実施例３のズームレンズ系の短焦点距離端における収差曲線図である。
【図１７】数値実施例３のズームレンズ系の中間焦点距離における収差曲線図である。
【図１８】数値実施例３のズームレンズ系の長焦点距離端における収差曲線図である。
【図１９】数値実施例４のズームレンズ系の短焦点距離端における収差曲線図である。
【図２０】数値実施例４のズームレンズ系の中間焦点距離における収差曲線図である。
【図２１】数値実施例４のズームレンズ系の長焦点距離端における収差曲線図である。
【図２２】数値実施例５のズームレンズ系の短焦点距離端における収差曲線図である。
【図２３】数値実施例５のズームレンズ系の中間焦点距離における収差曲線図である。
【図２４】数値実施例５のズームレンズ系の長焦点距離端における収差曲線図である。
【図２５】数値実施例６のズームレンズ系の短焦点距離端における収差曲線図である。
【図２６】数値実施例６のズームレンズ系の中間焦点距離における収差曲線図である。
【図２７】数値実施例６のズームレンズ系の長焦点距離端における収差曲線図である。
【図２８】数値実施例７のズームレンズ系の短焦点距離端における収差曲線図である。
【図２９】数値実施例７のズームレンズ系の中間焦点距離における収差曲線図である。
【図３０】数値実施例７のズームレンズ系の長焦点距離端における収差曲線図である。
【図３１】数値実施例８のズームレンズ系の短焦点距離端における収差曲線図である。
【図３２】数値実施例８のズームレンズ系の中間焦点距離における収差曲線図である。
【図３３】数値実施例８のズームレンズ系の長焦点距離端における収差曲線図である。
【図３４】数値実施例９のズームレンズ系の短焦点距離端における収差曲線図である。
【図３５】数値実施例９のズームレンズ系の中間焦点距離における収差曲線図である。
【図３６】数値実施例９のズームレンズ系の長焦点距離端における収差曲線図である。
【図３７】本実施形態のズームレンズ系を搭載した撮影装置の一例を示す第１の図である。
【図３８】本実施形態のズームレンズ系を搭載した撮影装置の一例を示す第２の図である。
【発明を実施するための形態】
【００１３】
図１〜図９のレンズ構成図に示すように、本実施形態のズームレンズ系は、物体側から順に、前側レンズ群ＧＦと、後続レンズ群ＧＲとから構成されている。
【００１４】
前側レンズ群ＧＦは、全数値実施例１〜９（図１〜図９）を通じて、物体側から順に、正の屈折力の第１レンズ群Ｇ１と、負の屈折力の第２レンズ群Ｇ２と、負の屈折力の第３レンズ群Ｇ３とから構成されている。
【００１５】
後続レンズ群ＧＲは、全数値実施例１〜９（図１〜図９）を通じて、全体として正の屈折力を有している。Ｉは設計上の像面である。
後続レンズ群ＧＲは、数値実施例１〜６（図１〜図６）では、物体側から順に、正の屈折力の第４レンズ群Ｇ４と、負の屈折力の第５レンズ群Ｇ５と、正の屈折力の第６レンズ群Ｇ６とから構成されている。このため、全体として、正負負正負正の６群ズームレンズ構成となる。
後続レンズ群ＧＲは、数値実施例７（図７）では、物体側から順に、正の屈折力の第４レンズ群Ｇ４と、負の屈折力の第５レンズ群Ｇ５と、正の屈折力の第６レンズ群Ｇ６と、正の屈折力の第７レンズ群Ｇ７から構成されている。このため、全体として、正負負正負正正の７群ズームレンズ構成となる。
後続レンズ群ＧＲは、数値実施例８（図８）では、物体側から順に、負の屈折力の第４レンズ群Ｇ４と、正の屈折力の第５レンズ群Ｇ５と、正の屈折力の第６レンズ群Ｇ６とから構成されている。このため、全体として、正負負負正正の６群ズームレンズ構成となる。
後続レンズ群ＧＲは、数値実施例９（図９）では、物体側から順に、正の屈折力の第４レンズ群Ｇ４と、正の屈折力の第５レンズ群Ｇ５と、負の屈折力の第６レンズ群Ｇ６とから構成されている。このため、全体として、正負負正正負の６群ズームレンズ構成となる。
【００１６】
図１〜図９のレンズ移動軌跡に従って、短焦点距離端から長焦点距離端への変倍に際し、隣接する各レンズ群（第１レンズ群Ｇ１〜第６レンズ群Ｇ６、あるいは、第１レンズ群Ｇ１〜第７レンズ群Ｇ７）の間隔が変化する。例えば、第１レンズ群Ｇ１〜第６レンズ群Ｇ６からなる６群ズームレンズ構成の場合、短焦点距離端から長焦点距離端への変倍に際し、第１レンズ群Ｇ１と第２レンズ群Ｇ２の間隔が増大し、第２レンズ群Ｇ２と第３レンズ群Ｇ３の間隔が増大又は減少し、第３レンズ群Ｇ３と第４レンズ群Ｇ４の間隔が減少し、第４レンズ群Ｇ４と第５レンズ群Ｇ５の間隔が増大又は減少し、第５レンズ群Ｇ５と第６レンズ群Ｇ６の間隔が減少する。
【００１７】
数値実施例１〜７（図１〜図７）において、第５レンズ群Ｇ５は、短焦点距離端から長焦点距離端への変倍に際し、隣接する各レンズ群との間隔が変化する負の屈折力の第Ｎレンズ群を構成する。なお、第５レンズ群Ｇ５を負の屈折力の第Ｎレンズ群とする態様はあくまで一例であり、種々の設計変更が可能である。例えば、後続レンズ群ＧＲに負の屈折力のレンズ群を２つ以上設けて、そのうちの１つのレンズ群を第Ｎレンズ群とすることができる。
【００１８】
第１レンズ群Ｇ１は、数値実施例１−６を通じて、物体側から順に、負レンズ１１と、正レンズ１２と、正レンズ１３とから構成されている。
第１レンズ群Ｇ１は、数値実施例７では、負レンズ１１Ａと、正レンズ１２Ａと、正レンズ１３Ａとから構成されている。
第１レンズ群Ｇ１は、数値実施例８では、負レンズ１１Ｂと、正レンズ１２Ｂと、正レンズ１３Ｂとから構成されている。
第１レンズ群Ｇ１は、数値実施例９では、負レンズ１１Ｃと、正レンズ１２Ｃと、正レンズ１３Ｃとから構成されている。
【００１９】
第２レンズ群Ｇ２は、数値実施例１−６を通じて、物体側から順に、負レンズ２１と、負レンズ２２と、正レンズ２３とから構成されている。
第２レンズ群Ｇ２は、数値実施例７では、物体側から順に、負レンズ２１Ａと、負レンズ２２Ａと、正レンズ２３Ａとから構成されている。
第２レンズ群Ｇ２は、数値実施例８では、物体側から順に、負レンズ２１Ｂと、負レンズ２２Ｂと、正レンズ２３Ｂとから構成されている。
第２レンズ群Ｇ２は、数値実施例９では、物体側から順に、負レンズ２１Ｃと、負レンズ２２Ｃと、正レンズ２３Ｃとから構成されている。
【００２０】
第３レンズ群Ｇ３は、数値実施例１−６を通じて、物体側から順に、負レンズ３１と、正レンズ３２とから構成されている。
第３レンズ群Ｇ３は、数値実施例７では、物体側から順に、負レンズ３１Ａと、正レンズ３２Ａとから構成されている。
第３レンズ群Ｇ３は、数値実施例８では、物体側から順に、負レンズ３１Ｂと、正レンズ３２Ｂとから構成されている。
第３レンズ群Ｇ３は、数値実施例９では、物体側から順に、負レンズ３１Ｃと、正レンズ３２Ｃとから構成されている。
【００２１】
第４レンズ群Ｇ４は、数値実施例１−３では、物体側から順に、開口絞りＳＰと、正レンズ４１と、正レンズ４２と、負レンズ４３とから構成されている。
第４レンズ群Ｇ４は、数値実施例４−６では、物体側から順に、正レンズ４１’と、開口絞りＳＰと、正レンズ４２’と、負レンズ４３’とから構成されている。
第４レンズ群Ｇ４は、数値実施例７では、物体側から順に、正レンズ４１Ａと、開口絞りＳＰと、正レンズ４２Ａと、負レンズ４３Ａとから構成されている。
第４レンズ群Ｇ４は、数値実施例８では、物体側から順に、負レンズ４１Ｂと、正レンズ４２Ｂとから構成されている。
第４レンズ群Ｇ４は、数値実施例９では、物体側から順に、開口絞りＳＰと、正レンズ４１Ｃと、正レンズ４２Ｃと、負レンズ４３Ｃとから構成されている。
【００２２】
第５レンズ群Ｇ５は、数値実施例１−３では、物体側から順に、負レンズ５１と、正レンズ５２とから構成されている。
第５レンズ群Ｇ５は、数値実施例４−６では、物体側から順に、負レンズ５１’と、負レンズ５２’と、正レンズ５３’とから構成されている。
第５レンズ群Ｇ５は、数値実施例７では、物体側から順に、負レンズ５１Ａと、負レンズ５２Ａと、正レンズ５３Ａとから構成されている。
第５レンズ群Ｇ５は、数値実施例８では、物体側から順に、開口絞りＳＰと、正レンズ５１Ｂと、正レンズ５２Ｂと、負レンズ５３Ｂとから構成されている。
第５レンズ群Ｇ５は、数値実施例９では、物体側から順に、正レンズ５１Ｃと、負レンズ５２Ｃと、正レンズ５３Ｃと、正レンズ５４Ｃとから構成されている。
【００２３】
第６レンズ群Ｇ６は、数値実施例１−５では、物体側から順に、負レンズ６１と、正レンズ６２と、正レンズ６３とから構成されている。
第６レンズ群Ｇ６は、数値実施例６では、物体側から順に、負レンズ６１’と、正レンズ６２’と、正レンズ６３’と、負レンズ６４’とから構成されている。
第６レンズ群Ｇ６は、数値実施例７では、物体側から順に、負レンズ６１Ａと、正レンズ６２Ａとから構成されている。
第６レンズ群Ｇ６は、数値実施例８では、物体側から順に、正レンズ６１Ｂと、正レンズ６２Ｂと、負レンズ６３Ｂと、正レンズ６４Ｂとから構成されている。
第６レンズ群Ｇ６は、数値実施例９では、物体側から順に、負レンズ６１Ｃと、正レンズ６２Ｃと、正レンズ６３Ｃとから構成されている。
【００２４】
第７レンズ群Ｇ７は、数値実施例７では、物体側から順に、負レンズ７１Ａと、正レンズ７２Ａとから構成されている。
【００２５】
本実施形態のズームレンズ系は、小型で高性能でありながら、全焦点距離域に亘ってＦナンバーが３以下の明るさを確保し、３５ｍｍフィルム換算で２４ｍｍ〜７０ｍｍ程度、もしくは２８ｍｍ〜１５０ｍｍ程度のズーム域を網羅し、オートフォーカスの小型化・静粛化に好適な小型フォーカス群構成を採用したものである。
【００２６】
一般的に、広角化を進めると、コマ収差、非点収差、倍率色収差、像面湾曲、歪曲収差が増大しやすい。一方、望遠化を進めると、球面収差、軸上色収差の影響が増大しやすい。また、大口径化を進めると、コマ収差、球面収差が増大し、それらの収差を補正するために光学系全体やフォーカス部が長大化する傾向がある。
【００２７】
本実施形態のズームレンズ系は、上述した収差補正上の課題、及び、特にフォーカスレンズ群の長大化の課題を解決するための構成を具備している。
【００２８】
正先行型（ポジティブリード型）のズームレンズ系においては、最も強い負のパワーを持つ第２レンズ群でフォーカシングを行うことが多い。しかし、第２レンズ群でフォーカシングを行うとフォーカシングによる倍率変化を生じやすく、加えて、軽量化が困難でフォーカシングスピードを得にくいという欠点がある。
【００２９】
これに対し、本実施形態のズームレンズ系は、上述した最もパワーの強い負レンズ群を第２レンズ群Ｇ２と第３レンズ群Ｇ３とに分割して、第３レンズ群Ｇ３のみをフォーカシング時に移動するフォーカスレンズ群として用いることにより、フォーカスレンズ群の小型軽量化によるオートフォーカスの高速化、静音化を図っている。具体的に、フォーカスレンズ群である第３レンズ群Ｇ３は、無限遠物体から近距離物体へのフォーカシング時に、物体側に移動する（繰り出される）。
【００３０】
加えて、従来の第２レンズ群に必要なフォーカシングのための繰り出しスペースの確保が不要になることから、短焦点距離端において第１レンズ群Ｇ１と第２レンズ群Ｇ２との間隔を小さく設定でき、歪曲収差や像面湾曲の補正能力の向上に寄与できる。また、第３レンズ群Ｇ３を含めた各レンズ群を変倍に寄与させることにより、設計の自由度を高めて、高性能化を図っている。
【００３１】
全体として正の屈折力を持つ後続レンズ群ＧＲに、変倍時に隣り合うレンズ群との間隔が変化する負レンズ群（第Ｎレンズ群）を設けることで、変倍時のコンペンセータとしての役割を与えて、短焦点距離端におけるバックフォーカス量の確保や収差補正能力の向上を図っている。
【００３２】
ここで、各レンズ群の変倍バランスを崩すと、全系の長大化や偏心感度の上昇を招く可能性があるため、各レンズ群の変倍への寄与は適切な範囲に設定することが重要である。加えて、レンズ全系を小型に構成するための光線高さ制御として、各レンズ群の変倍時の軌跡を適切な範囲に設定することが重要である。負の屈折力の第２レンズ群Ｇ２は比較的大きな変倍作用を持ち、且つ、レンズ系内での光線高さのふるまいに影響が大きいため、変倍時の軌跡を適切に設定することが重要である。
【００３３】
本実施形態のズームレンズ系は、次の条件式（１）を満足することが好ましい。
（１）−２０＜Ｔｗｔ／Ｔｗｍ＜１
但し、
Ｔｗｔ：短焦点距離端から長焦点距離端への変倍に際する第２レンズ群の移動量（物体側への移動量を正の符号で示し、像側への移動量を負の符号で示す）、
Ｔｗｍ：短焦点距離端から中間焦点距離への変倍に際する第２レンズ群の移動量（物体側への移動量を正の符号で示し、像側への移動量を負の符号で示す）、
中間焦点距離：中間焦点距離ｆｍ＝（ｆｗ・ｆｔ）１／２、ｆｗは短焦点距離端における全系の焦点距離、ｆｔは長焦点距離端における全系の焦点距離、
である。
【００３４】
条件式（１）が満足する条件式範囲の中でも、次の条件式（１’）を満足することが好ましい。
（１’）−１５＜Ｔｗｔ／Ｔｗｍ＜０．３
【００３５】
条件式（１）、（１’）は、「短焦点距離端から中間焦点距離を経て長焦点距離端に至るまでの第２レンズ群Ｇ２の変倍時の適切な軌跡範囲」を示している。
条件式（１）を満足することで、第１レンズ群Ｇ１ひいてはレンズ全系の小型化を図ることができる。この作用効果は、条件式（１’）を満足することでより顕著に発揮される。
条件式（１）の上限を超えると、中間焦点距離における第１レンズ群Ｇ１と第２レンズ群Ｇ２の間隔が広がりすぎて、第１レンズ群Ｇ１を通る光線が高くなって第１レンズ群Ｇ１が大型化してしまう。
条件式（１）の下限を超えると、長焦点距離端におけるレンズ全長が長くなりすぎて、第１レンズ群Ｇ１が大型化してしまう。
【００３６】
中間焦点距離ｆｍは、短焦点距離端と長焦点距離端の撮影画角としての中間地点として設定することを示している。撮影倍率の中間地点となる中間焦点距離に対してズーム軌跡を制御することで、短焦点距離端および長焦点距離端の全長短縮と、中間焦点距離付近における径方向の縮小とを、ズーム全域の収差補正とともにバランスよく制御することが可能となる。
【００３７】
本実施形態のズームレンズ系は、次の条件式（２）を満足することが好ましい。
（２）２．０＜ｆｒｗ／Ｙａ＜３．５
但し、
ｆｒｗ：短焦点距離端における無限遠合焦時の後続レンズ群の焦点距離、
Ｙａ：最大像高、
である。
【００３８】
条件式（２）が満足する条件式範囲の中でも、次の条件式（２’）を満足することが好ましい。
（２’）２．４＜ｆｒｗ／Ｙａ＜３．１
【００３９】
条件式（２）、（２’）において、最大像高とは、有効像面サイズの半対角長を指す。例えば、デジタルカメラであれば、撮像素子の有効画素範囲の半対角長が最大像高となる。
【００４０】
本実施形態のような正先行型（ポジティブリード型）のズームレンズ系は、物体側が負、像側が正というパワー配置を有している。正の後群（後続レンズ群ＧＲ）のパワーを強くすると、全系の小型化には有利だが、バックフォーカス量の確保には不利となる。また、短焦点距離端においてバックフォーカス量を確保することが難しくなる。正の後群（後続レンズ群ＧＲ）のパワーを適切に設定することで、全系の大型化を抑制しながら良好な性能で、且つ、カメラシステムが必要とするバックフォーカス量を確保することが可能となる。
【００４１】
条件式（２）、（２’）は、「短焦点距離端における正の後群（後続レンズ群ＧＲ）の焦点距離の適切な範囲」を示している。
条件式（２）を満足することで、レンズ全系の小型化を図るとともに、諸収差を良好に補正し、且つ、製造誤差感度を適切に設定することができる。この作用効果は、条件式（２’）を満足することでより顕著に発揮される。
条件式（２）の上限を超えると、正の後群（後続レンズ群ＧＲ）のパワーが弱くなってバックフォーカス量を確保しやすいが、全系が長大化してしまう。
条件式（２）の下限を超えると、バックフォーカス量の確保と球面収差制御との両立の難易度が上昇して球面収差の補正が困難になったり、レンズ群間での収差のやり取りが過大となって製造誤差感度を悪化させたりするおそれがある。
【００４２】
本実施形態のズームレンズ系は、次の条件式（３）、（４）を満足することが好ましい。
（３）２．０＜｜ｆ３／ｆｆｗ｜＜５．０
（４）１．０＜｜ｆ３／ｆｆｔ｜＜４．０
但し、
ｆ３：第３レンズ群の焦点距離、
ｆｆｗ：短焦点距離端における無限遠合焦時の第１レンズ群と第２レンズ群と第３レンズ群の合成焦点距離、
ｆｆｔ：長焦点距離端における無限遠合焦時の第１レンズ群と第２レンズ群と第３レンズ群の合成焦点距離、
である。
【００４３】
条件式（３）、（４）が満足する条件式範囲の中でも、次の条件式（３’）、（４’）を満足することが好ましい。
（３’）２．４＜｜ｆ３／ｆｆｗ｜＜４．５
（４’）１．０＜｜ｆ３／ｆｆｔ｜＜３．５
【００４４】
第３レンズ群Ｇ３はフォーカスのみならず変倍にも寄与しているため、収差のバランスが崩れて収差が増大したりレンズ系の大型化したりするのを防ぐために、適切な焦点距離範囲に設定することが重要である。
【００４５】
条件式（３）、（３’）、（４）、（４’）は、各ズームポイントでの「開口絞りよりも物体側のレンズ群における第３レンズ群の焦点距離の適切な範囲」を示している。
条件式（３）、（４）を満足することで、レンズ全系の小型化を図るとともに、諸収差を良好に補正し、精度の良い作製・組み立てを容易にすることができる。この作用効果は、条件式（３’）、（４’）を満足することでより顕著に発揮される。
条件式（３）、（４）の上限を超えると、製造誤差感度が低減するが、他のレンズ群の変倍負担が大きくなるため、各レンズ群の「変倍に伴う変位量」が増大し、これらの変位量を確保するために、小型化に不利となり、また収差補正上において不利となる。
条件式（３）、（４）の下限を超えると、第３レンズ群Ｇ３の変倍への寄与が相対的に大きくなり、他のレンズ群の変倍負担が小さくなる。このため、ズームレンズ全系の小型化や収差補正上は有利となるが、製造誤差感度が上昇するため、精度の良い作製・組み立てが困難になり、実際上の面から好ましくない。
【００４６】
本実施形態のズームレンズ系は、次の条件式（５）を満足することが好ましい。
（５）０．１＜ｆ２／ｆ３＜０．７
但し、
ｆ２：第２レンズ群の焦点距離、
ｆ３：第３レンズ群の焦点距離、
である。
【００４７】
条件式（５）が満足する条件式範囲の中でも、次の条件式（５’）を満足することが好ましい。
（５’）０．２＜ｆ２／ｆ３＜０．６
【００４８】
上述したように、本実施形態のズームレンズ系における第３レンズ群Ｇ３は、一般的な正先行型（ポジティブリード型）のズームレンズ系の第２レンズ群を分割して構成したものであり、負のパワーを分割してフォーカシング群に割り当てることで、フォーカシング時の像倍率変化を抑制することが可能となっている。
【００４９】
条件式（５）、（５’）は、「第２レンズ群Ｇ２の焦点距離に対する第３レンズ群Ｇ３の焦点距離の適切な範囲」を示している。
条件式（５）を満足することで、像倍率の過剰な変化を抑制するとともに、フォーカシング移動量を小さくしてレンズ全体の長大化を防止することができる。この作用効果は、条件式（５’）を満足することでより顕著に発揮される。
条件式（５）の上限を超えると、第３レンズ群Ｇ３のパワーが強くなりすぎて、像倍率の変化が大きくなりすぎてしまう。
条件式（５）の下限を超えると、第３レンズ群Ｇ３のパワーが弱くなりすぎて、フォーカシング移動量が増大し、レンズ全体の長大化を招いてしまう。
【００５０】
本実施形態のズームレンズ系では、第３レンズ群Ｇ３が、負レンズ３１と正レンズ３２の２枚のレンズから構成されている。フォーカスレンズ群である第３レンズ群Ｇ３と他のレンズ群との収差のやり取りが過剰であると、フォーカシング時の収差変動が大きくなって、撮影距離による像性能に変動が生じやすくなる。フォーカスレンズ群である第３レンズ群Ｇ３を、色収差補正に最低限必要な負レンズ３１と正レンズ３２との２枚で構成することで、フォーカスレンズ群の大型化を抑制しながら、第３レンズ群Ｇ３内での色収差補正能力を高めてフォーカシング時の像性能変動を抑制することが可能となる。さらに、第３レンズ群Ｇ３の負レンズ３１と正レンズ３２を接合レンズとすることで、第３レンズ群Ｇ３内の収差補正能力と製造誤差感度とのバランスを採りつつ、メカ構成部品を削減してフォーカスレンズ群の軽量化に寄与することが可能となる。加えて、物体側から順に、負レンズ３１、正レンズ３２の順に構成して、第３レンズ群Ｇ３の主点位置を第２レンズ群Ｇ２に近づけることで、最至近撮影距離を短くすることが可能となる。
【００５１】
本実施形態のズームレンズ系は、次の条件式（６）を満足することが好ましい。
（６）０．１＜Ｒ３ｇｆ／Ｒ２ｇｒ＜５．０
但し、
Ｒ３ｇｆ：第３レンズ群の最も物体側の面の曲率半径、
Ｒ２ｇｒ：第２レンズ群の最も像側の面の曲率半径、
である。
【００５２】
第３レンズ群Ｇ３はフォーカスレンズ群であるため、撮影距離によって第２レンズ群Ｇ２との面間隔が変化するが、第２群レンズ群Ｇ２と第３レンズ群Ｇ３とはもともと一体であった負のレンズ群を分割して構成したものであるため、面間隔の変化による収差の変動を適切に抑制することが重要である。特に短焦点距離端においては、太い光束が通るため、第２レンズ群Ｇ２と第３レンズ群Ｇ３の球面収差のやり取りを適切に設定することが重要である。
【００５３】
条件式（６）は、「第２レンズ群の最終面と第３レンズ群の先頭面の曲率半径の適切な範囲」を示している。
条件式（６）を満足することで、フォーカシングによる結像性能の変動を抑制して好適なフォーカシングを実現することができる。
条件式（６）の上限を超えても下限を超えても、第２レンズ群Ｇ２と第３レンズ群Ｇ３との球面収差のやり取りが過大となり、フォーカシングによる結像性能の変動が大きくなってしまう。
【００５４】
以上の条件式（１）〜（６）を満足することで、特に径方向の大型化を抑制しながら、大口径で広角から標準域までのズームが可能で、小型軽量なフォーカスレンズ群を有した高性能なズームレンズ系を構成することが可能になる。ある程度のバックフォーカス量を確保しつつ、全系の大型化抑制と高性能化とを効果的に達成するという観点から、次の条件式（７）を満足することが好ましい。
（７）１．５＜Ｂｆｗ／Ｙａ＜４．０
但し、
Ｂｆｗ：短焦点距離端における無限遠合焦時の後続レンズ群の最も像側の面から像面までの空気換算距離、
Ｙａ：最大像高、
である。
【００５５】
上記と同様の観点から、次の条件式（８）を満足することが好ましい。
（８）１．５＜Ｂｆｗ／ｆｗ＜４．０
但し、
Ｂｆｗ：短焦点距離端における無限遠合焦時の後続レンズ群の最も像側の面から像面までの空気換算距離、
ｆｗ：短焦点距離端における無限遠合焦時の全系の焦点距離、
である。
【００５６】
条件式（７）、（８）が満足する条件式範囲の中でも、次の条件式（７’）、（８’）を満足することが好ましい。
（７’）２．０＜Ｂｆｗ／Ｙａ＜３．０
（８’）１．５＜Ｂｆｗ／ｆｗ＜３．０
【００５７】
条件式（７）、（８）を満足することで、ある程度のバックフォーカス量を確保しつつ、全系の大型化抑制と高性能化とを効果的に達成することができる。この作用効果は、条件式（７’）、（８’）を満足することでより顕著に発揮される。
条件式（７）、（８）の上限を超えると、バックフォーカスが大きくなりすぎて、レンズ全系の大型化（レンズ全長の増大）を招いてしまう。
条件式（７）、（８）の下限を超えると、要求されるバックフォーカス量の確保が困難になるとともに、光学性能の劣化を招いてしまう。
【００５８】
本実施形態のズームレンズ系は、次の条件式（９）を満足することが好ましい。
（９）２．５＜ｆ１／ｆｗ＜６．０
但し、
ｆ１：第１レンズ群の焦点距離、
ｆｗ：短焦点距離端における無限遠合焦時の全系の焦点距離、
である。
【００５９】
条件式（９）が満足する条件式範囲の中でも、次の条件式（９’）を満足することが好ましい。
（９’）２．５＜ｆ１／ｆｗ＜４．５
【００６０】
条件式（９）、（９’）は、「短焦点距離端の全系の焦点距離に対する、第１レンズ群の焦点距離の適切な範囲」を示している。条件式（９）を満足することで、第１レンズ群ひいてはレンズ全系の小型化を図るとともに、短焦点距離端の焦点距離が長くなりすぎるのを防止し、コマ収差および球面収差を良好に制御することが可能になる。この作用効果は、条件式（９’）を満足することでより顕著に発揮される。
条件式（９）の上限を超えると、第１レンズ群の焦点距離が大きくなりすぎて第１レンズ群の中を通る光線が高くなって径方向に大型化する恐れがある。
条件式（９）の下限を超えると、長焦点距離端におけるコマ収差および球面収差の制御が困難になって悪化する、もしくは、短焦点距離端の焦点距離が長くなってしまう恐れがある。
【００６１】
第２レンズ群または第３レンズ群は少なくとも１枚の正レンズを有し、次の条件式（１０）を満足することが好ましい。
（１０）２５＜νｐＭＡＸ＜４５
但し、
νｐＭＡＸ：第２レンズ群または第３レンズ群が有する正レンズのうちｄ線に対するアッベ数が最大の正レンズの当該アッベ数、
である。
【００６２】
条件式（１０）が満足する条件式範囲の中でも、次の条件式（１０’）を満足することが好ましい。
（１０’）３０＜νｐＭＡＸ＜４５
【００６３】
条件式（１０）、（１０’）は、「第２レンズ群または第３レンズ群が有する正レンズの最大アッベ数の適切な範囲」を示している。条件式（１０）を満足することで、色収差を適切に補正することができる。この作用効果は、条件式（１０’）を満足することでより顕著に発揮される。
条件式（１０）の上限を超えると、第２レンズ群または第３レンズ群における正レンズと負レンズのアッベ数差が小さくなりすぎて、色収差が補正不足となる恐れがある。
条件式（１０）の下限を超えると、第２レンズ群または第３レンズ群における正レンズと負レンズのアッベ数差が大きくなりすぎて、色収差が過剰補正となる恐れがある。
【００６４】
短焦点距離端から長焦点距離端への変倍に際して第１レンズ群が像側から物体側へ移動し、次の条件式（１１）を満足することが好ましい。
（１１）１．５＜ｆ１／Ｔｗｔ１＜７．０
但し、
ｆ１：第１レンズ群の焦点距離、
Ｔｗｔ１：短焦点距離端から長焦点距離端への変倍に際する第１レンズ群の移動量（物体側への移動量を正の符号で示し、像側への移動量を負の符号で示す）、
である。
【００６５】
条件式（１１）が満足する条件式範囲の中でも、次の条件式（１１’）を満足することが好ましい。
（１１’）２．０＜ｆ１／Ｔｗｔ１＜５．０
【００６６】
条件式（１１）、（１１’）は、「第１レンズ群の焦点距離に対する、第１レンズ群のズーミング時の移動量の適切な範囲」を示している。条件式（１１）を満足することで、第１レンズ群の移動距離を適正化して、第１レンズ群内の光線高さを抑制して径方向に小型化することが可能となる。この作用効果は、条件式（１１’）を満足することでより顕著に発揮される。
条件式（１１）の上限を超えると、第１レンズ群の移動量が小さくなりすぎて第１レンズ群が径方向に大型化する恐れがある。
条件式（１１）の下限を超えると、第１レンズ群の移動量が大きくなりすぎてレンズの光軸方向のサイズが大型化してしまう。
【００６７】
本実施形態のズームレンズ系は、次の条件式（１２）を満足することが好ましい。
（１２）−２０．０＜ｆ１／ｆ２３ｗ＜−３．０
但し、
ｆ１：第１レンズ群の焦点距離、
ｆ２３ｗ：短焦点距離端における無限遠合焦時の第２レンズ群と第３レンズ群の合成焦点距離、
である。
【００６８】
条件式（１２）が満足する条件式範囲の中でも、次の条件式（１２’）を満足することが好ましい。
（１２’）−１０．０＜ｆ１／ｆ２３ｗ＜−５．０
【００６９】
条件式（１２）、（１２’）は、「短焦点距離端における無限遠合焦時の第２レンズ群と第３レンズ群との合成焦点距離に対する、第１レンズ群の焦点距離の適切な範囲」を示している。条件式（１２）を満足することで、ズーム全域における収差補正のバランスがとりやすくなって高性能化を達成可能となる。この作用効果は、条件式（１２’）を満足することでより顕著に発揮される。
条件式（１２）の上限を超えると、第２レンズ群と第３レンズ群との合成屈折力が強くなりすぎて、ズーム全域でコマ収差、非点収差、像面湾曲、歪曲収差などの補正が不足する恐れがある。
条件式（１２）の下限を超えると、第１レンズ群の屈折力が強くなりすぎて長焦点距離端における球面収差もしくはコマ収差の補正が不足する恐れがある。
【００７０】
本実施形態のズームレンズ系は、次の条件式（１３）を満足することが好ましい。
（１３）０．２０＜Ｄ（２Ｒ−３Ｆ）Ｔ／Ｄ（２Ｆ−３Ｒ）Ｔ＜０．６０
但し、
Ｄ（２Ｒ−３Ｆ）Ｔ：長焦点距離端における無限遠合焦時の第２レンズ群の最終面から第３レンズ群の先頭面までの光軸方向の間隔、
Ｄ（２Ｆ−３Ｒ）Ｔ：長焦点距離端における無限遠合焦時の第２レンズ群の先頭面から第３レンズ群の最像面までの光軸方向の総厚、
である。
【００７１】
条件式（１３）は、「長焦点距離端における無限遠合焦時の第２レンズ群と第３レンズ群の総厚に対する、第２レンズ群と第３レンズ群との間隔の適切な範囲」を示している。
条件式（１３）を満足することで、フォーカス群の感度を適正にして光学系を大型化せずにフォーカス時の性能を向上させることが可能となる。
条件式（１３）の上限を超えると、第２レンズ群と第３レンズ群との間隔が広くなりすぎてフォーカス群である第３レンズ群の移動量が増大し、全長が大型化する恐れがある。
条件式（１３）の下限を超えると、フォーカス群である第３レンズ群のフォーカス感度が高くなりすぎてオートフォーカスの精度が悪化したり、フォーカス群前後の群との収差補正のバランスが崩れやすくなってフォーカシングに伴う結像性能の低下が悪化したりする恐れがある。
【００７２】
本実施形態のズームレンズ系は、次の条件式（１４）を満足することが好ましい。
（１４）１．００＜（１−Ｍｔ＾２）×ＭＲｔ＾２＜８．００
但し、
Ｍｔ：長焦点距離端における無限遠合焦時の第３レンズ群の横倍率、
ＭＲｔ：長焦点距離端における無限遠合焦時の後続レンズ群の横倍率、
である。
【００７３】
条件式（１４）が満足する条件式範囲の中でも、次の条件式（１４’）を満足することが好ましい。
（１４’）１．００＜（１−Ｍｔ＾２）×ＭＲｔ＾２＜４．００
【００７４】
条件式（１４）、（１４’）は、「長焦点距離端におけるフォーカス群である第３レンズ群のフォーカス感度の適正な範囲」を示している。条件式（１４）を満足することで、フォーカス群の感度を適正にして光学系を大型化せずにフォーカス時の性能を向上させることが可能となる。この作用効果は、条件式（１４’）を満足することでより顕著に発揮される。
条件式（１４）の上限を超えると、フォーカス群である第３レンズ群のフォーカス感度が高くなりすぎてオートフォーカスの精度が悪化したり、フォーカス群前後の群との収差補正のバランスが崩れやすくなってフォーカシングに伴う結像性能の低下が悪化したりする恐れがある。
条件式（１４）の下限を超えると、フォーカス群である第３レンズ群のフォーカス感度が低くなりすぎて、第２レンズ群と第３レンズ群との間隔を広くとる必要が生じて全長が大型化する恐れがある。
【００７５】
なお、全体として正のパワーを有する後群は、絞りを含む正の第４レンズ群、負の第５レンズ群、正の第６レンズ群を有することがさらに望ましい形態の一つである。後続レンズ群ＧＲ内で正のパワーを持つ第４レンズ群Ｇ４と第６レンズ群Ｇ６とは収差のやりとりが大きく製造誤差感度が高いため、変倍時には一体移動することが好ましい。これにより、高い収差補正能力を保ったまま製造誤差感度の低減が可能となる。
【００７６】
前記した全体として正のパワーを有する後群として、絞りを含む正の第４レンズ群、負の第５レンズ群、正の第６レンズ群を有するズームレンズ系は、次の条件式（１５）を満足することで、第４レンズ群Ｇ４に対する第６レンズ群Ｇ６の適切な焦点距離域を設定でき、収差補正と製造誤差感度とのバランスをとることが可能となる。
（１５）０．３＜ｆ４／ｆ６＜０．９
但し、
ｆ４：第４レンズ群の焦点距離、
ｆ６：第６レンズ群の焦点距離、
である。
【００７７】
条件式（１５）が満足する条件式範囲の中でも、次の条件式（１５’）を満足することが好ましい。
（１５’）０．４５＜ｆ４／ｆ６＜０．７５
【００７８】
条件式（１５）を満足することで、収差補正と製造誤差感度とのバランスをとることが可能となる。
条件式（１５）の上限を超えると、第４レンズ群Ｇ４の屈折力が小さくなりすぎて、収差補正能力が低下して、第６レンズ群Ｇ６における収差補正の負荷が高まって製造誤差感度のバランスが崩れる恐れがある。加えて、第４レンズ群Ｇ４以降の軸外光が高くなって、レンズ系全体が長大化する恐れがある。
条件式（１５）の下限を超えると、第６レンズ群Ｇ６の屈折力が小さくなりすぎて、特に広角端（短焦点距離端）での射出瞳位置制御の難易度が上がって適切なバックフォーカス量を確保するために収差補正能力が低下する恐れがある。
【００７９】
また、全体として正のパワーを有する後群として、負の第４レンズ群、正の第５レンズ群、正の第６レンズ群から構成することもさらに望ましい形態の一つである。後続レンズ群ＧＲ内で負のパワーを持つ第４レンズ群Ｇ４は、第３レンズ群Ｇ３と組み合わせて焦点距離に応じて異なる量を移動させるフローティングフォーカスとすることで、フォーカシングによる収差変動をより高い能力で制御して、フォーカシングに伴う結像性能の劣化を抑制することが可能となる。その際、第３レンズ群Ｇ３と第４レンズ群Ｇ４の移動比率は任意に設定が可能である。表１に、第３レンズ群Ｇ３と第４レンズ群Ｇ４の移動比率の一例を示す。フォーカス群である第３レンズ群の前後に配置する第２レンズ群と第４レンズ群とは収差のやりとりが大きく製造誤差感度が高いため、変倍時には一体移動することが好ましい。これにより、高い収差補正能力を保ったまま製造誤差感度の低減が可能となる。
【表１】
2020154286.tif 000003
【００８０】
後続レンズ群ＧＲ内で負のパワーを持つ第Ｎレンズ群（例えば実施例１〜６の第５レンズ群Ｇ５）は、変倍時に像面に対して移動することで、変倍に寄与しながら全系の収差補正能力を向上させることが可能である。次の条件式（１６）を満足することで、第Ｎレンズ群の焦点距離を適切に設定でき、良好な光学性能を得ることが可能となる。
（１６）０．５＜｜ｆＮ／ｆｒｍ｜＜２．５
但し、
ｆＮ：第Ｎレンズ群の焦点距離、
ｆｒｍ：中間焦点距離における無限遠合焦時の後続レンズ群の焦点距離、
中間焦点距離：中間焦点距離ｆｍ＝（ｆｗ・ｆｔ）１／２、ｆｗは短焦点距離端における全系の焦点距離、ｆｔは長焦点距離端における全系の焦点距離、
である。
【００８１】
条件式（１６）が満足する条件式範囲の中でも、次の条件式（１６’）を満足することが好ましい。
（１６’）０．７＜｜ｆＮ／ｆｒｍ｜＜２．０
【００８２】
条件式（１６）を満足することで、第Ｎレンズ群の焦点距離を適切に設定でき、良好な光学性能を得ることが可能となる。
条件式（１６）の上限を超えると、第Ｎレンズ群の屈折力が小さくなりすぎて、良好な像性能確保のために変倍時の移動量が大きく必要となり、光学系全体が長大化する恐れがある。
条件式（１６）の下限を超えると、第Ｎレンズ群の屈折力が大きくなりすぎて、前後のレンズ群との収差のやり取りが過大になって、製造誤差感度が過大になる恐れがある。
【００８３】
上述したように、フォーカスレンズ群である第３レンズ群Ｇ３は、負レンズ３１と正レンズ３２の２枚のレンズで構成されている。これにより、第３レンズ群Ｇ３における色収差補正能力の向上を図っている。条件式（１７）、（１８）、（１９）は、第３レンズ群Ｇ３の負レンズ３１と正レンズ３２が満足するべきパラメータを規定している。
（１７）１．４＜ν３ｎ／ν３ｐ＜３．０
（１８）Ｎ３ｐ＞１．８５０００
（１９）Ｎ３ａ＞１．７００００
但し、
ν３ｎ：第３レンズ群中の負レンズのｄ線に対するアッベ数、
ν３ｐ：第３レンズ群中の正レンズのｄ線に対するアッベ数、
Ｎ３ｐ：第３レンズ群中の正レンズのｄ線に対する屈折率、
Ｎ３ａ：第３レンズ群中の負レンズと正レンズのｄ線に対する屈折率の平均値、
である。
【００８４】
ここで、ｄ線に対するアッベ数は、以下の式で計算される。
νｄ=（Ｎｄ−１）／（ＮＦ−ＮＣ）
但し、
Ｎｄ：ｄ線における屈折率、
ＮＦ：Ｆ線における屈折率、
ＮＣ：Ｃ線における屈折率、
である。
【００８５】
条件式（１７）、（１８）、（１９）を満足することで、第３レンズ群Ｇ３内での色収差補正能力を向上してフォーカシングによる結像性能変化を抑制することができる。
条件式（１７）の上限を超えても下限を超えても、適切な色収差補正が困難となってその他のレンズ群との色収差のやり取りが増大して、フォーカシング時の結像性能変化が悪化する恐れがある。
条件式（１８）、（１９）の下限を超えると、第３レンズ群Ｇ３の適切なパワー確保のために第３レンズ群Ｇ３が大型化して、最短撮影距離が長くなったり、レンズ系全体が長大化する恐れがある。
【００８６】
正の第１レンズ群は、物体側から順に、一枚の負レンズと、一枚の正レンズを有する構成であることが望ましい。より具体的には、物体側から順に、物体側に凸面を向けた負メニスカスレンズ、物体側に強い凸面を向けた正レンズの２枚で構成するか、その後ろに１枚の正レンズもしくは複数のレンズを加えた構成にすることが望ましい。この構成を採ることで、第１レンズ群で生じる収差量を十分小さく抑えることができ、全長の大型化を避けながら主に倍率色収差の補正能力を向上することが可能となる。また、いずれの実施例においても、任意のレンズ群もしくは部分群を光軸に対してほぼ垂直方向に移動させることで像を移動させることが可能で、いわゆる手振れ補正光学系を構成することが可能である。例えば、実施例１〜７の第５レンズ群、実施例８の第４レンズ群、実施例９の第６レンズ群、もしくは上記各レンズ群の一部を防振レンズ群とすれば、比較的小型のレンズで手振れ補正を行うことができ、レンズの大型化を抑制できるため好ましい。
【００８７】
具体的な数値実施例１−９を示す。収差曲線図において、実線はｄ線のメリディオナル断面収差、破線はｄ線のサジタル断面収差、一点鎖線はｇ線のメリディオナル断面収差、二点鎖線はｇ線のサジタル断面収差を示している。収差曲線図及び表中において、ｆは全系の焦点距離、ＦはＦナンバー、ｗは半画角、ｙは像高、Ｙａは最大像高、Ｒは曲率半径、Ｄはレンズ厚またはレンズ間隔、Ｎｄはｄ線における屈折率、νｄはｄ線におけるアッベ数、ＢＦはバックフォーカス、Ｋは非球面の円錐定数、Ａ４は４次の非球面係数、Ａ６は６次の非球面係数、Ａ８は８次の非球面係数、Ａ１０は１０次の非球面係数、をそれぞれ示している。全系の焦点距離、Ｆナンバー、半画角は、短焦点距離端−中間焦点距離−長焦点距離端の順に示している。長さの単位は[mm]である。ここで、非球面は、近軸曲率半径の逆数（近軸曲率）をＣ、光軸からの高さをＨとするとき、以下の式で定義される。
x=CH2/[1+[1-(1+K)C2H2]1/2]+A4H4+A6H6+A8H8+A10H10
【００８８】
［数値実施例１］
図１、図７〜図９と表１〜表５は、数値実施例１のズームレンズ系を示している。図１はレンズ構成図である。図７、図８、図９は、短焦点距離端、中間焦点距離、長焦点距離端における収差曲線図である。表１は面データ、表２は非球面データ、表３は可変間隔量データ、表４はズームレンズ群データ、表５は条件式データである。
【００８９】
数値実施例１のズームレンズ系は、物体側から順に、前側レンズ群ＧＦと、後続レンズ群ＧＲとから構成されている。前側レンズ群ＧＦは、物体側から順に、正の屈折力の第１レンズ群Ｇ１と、負の屈折力の第２レンズ群Ｇ２と、負の屈折力の第３レンズ群Ｇ３とから構成されている。後続レンズ群ＧＲは、全体として正の屈折力を有しており、物体側から順に、正の屈折力の第４レンズ群Ｇ４と、負の屈折力の第５レンズ群Ｇ５と、正の屈折力の第６レンズ群Ｇ６とから構成されている。
【００９０】
第１レンズ群Ｇ１は、物体側から順に、物体側に凸の負メニスカスレンズ１１と、物体側に凸の正メニスカスレンズ１２と、物体側に凸の正メニスカスレンズ１３とから構成されている。負メニスカスレンズ１１と正メニスカスレンズ１２は、接合されている。
【００９１】
第２レンズ群Ｇ２は、物体側から順に、物体側に凸の負メニスカスレンズ２１と、両凹負レンズ２２と、両凸正レンズ２３とから構成されている。負メニスカスレンズ２１は、ガラスレンズの物体側の面に合成樹脂材料による非球面層が接着形成されたハイブリッドレンズから構成されている。両凸正レンズ２３は、ガラスレンズの像側の面に合成樹脂材料による非球面層が接着形成されたハイブリッドレンズから構成されている。両凹負レンズ２２と両凸正レンズ２３は、接合されている。
【００９２】
第３レンズ群Ｇ３は、物体側から順に、両凹負レンズ３１と、両凸正レンズ３２とから構成されている。両凹負レンズ３１と両凸正レンズ３２は、接合されている。
【００９３】
第４レンズ群Ｇ４は、物体側から順に、開口絞りＳＰと、両凸正レンズ４１と、両凸正レンズ４２と、像側に凸の負メニスカスレンズ４３とから構成されている。両凸正レンズ４１は、両面に非球面を有している。両凸正レンズ４２と負メニスカスレンズ４３は、接合されている。
【００９４】
第５レンズ群Ｇ５は、物体側から順に、両凹負レンズ５１と、物体側に凸の正メニスカスレンズ５２とから構成されている。両凹負レンズ５１と正メニスカスレンズ５２は、接合されている。
【００９５】
第６レンズ群Ｇ６は、物体側から順に、物体側に凸の負メニスカスレンズ６１と、物体側に凸の正メニスカスレンズ６２と、両凸正レンズ６３とから構成されている。負メニスカスレンズ６１と正メニスカスレンズ６２は、接合されている。両凸正レンズ６３は、両面に非球面を有している。
【００９６】
（表１）
f=16.5〜28.0〜48.6、F=2.9〜2.9〜2.9、w=42.0〜27.0〜16.1、Ya=14.24
面番号        R           D           Nd            νd        硝種（硝材）
1         349.940       2.17       1.85896         22.73      S-NPH5(OHARA)
2         125.000       4.08       1.74100         52.64      S-LAL61(OHARA)
3         303.720       0.15
4          63.693       6.42       1.73400         51.47      S-LAL59(OHARA)
5         198.470         D1
6*        123.440       0.10       1.52970         42.70        光学樹脂
7          68.456       1.50       1.80400         46.53     S-LAH65VS(OHARA)
8          16.537       8.56                    
9         -51.212       1.20       1.80400         46.53     S-LAH65VS(OHARA)
10         66.763       5.00       1.73800         32.33      S-NBH53V(OHARA)
11        -47.401       0.12       1.52970         42.70        光学樹脂
12*       -44.020         D2                   
13        -33.451       0.90       1.73400         51.47      S-LAL59(OHARA)
14         33.451       3.75       1.85883         30.00       NBFD30(HOYA)
15       -424.930         D3
16          絞り        1.40
17*        41.636       6.20       1.49700         81.54      S-FPL51(OHARA)
18*       -62.583       0.20
19         75.999       6.88       1.59522         67.73       S-FPM2(OHARA)
20        -33.020       1.21       1.84666         23.78      S-TIH53W(OHARA)
21        -51.212         D4
22       -140.160       1.20       1.80100         34.97      S-LAM66(OHARA)
23         22.069       4.32       1.92286         20.88      E-FDS1-W(HOYA)
24         53.657         D5
25         43.199       1.10       2.00100         29.13        TAFD55(HOYA)
26         19.825       6.30       1.49700         81.61          FCD1(HOYA)
27        116.850       0.32 
28*        47.716       7.65       1.49700         81.54      S-FPL51(OHARA)
29*       -33.842         BF
＊は回転対称非球面である。
（表２）
面番号   K          A4               A6               A8               A10
6        0    1.55019E-05     -2.22450E-08      2.51370E-11      1.87942E-15
12       0    3.29948E-06     -4.54242E-09     -6.26158E-11      3.89206E-13
17       0   -9.95529E-06     -2.30967E-09     -2.60998E-11      9.49283E-14
18       0   -1.02858E-06     -2.30427E-09     -3.63509E-11      9.32441E-14
28       0   -3.22716E-06      5.53584E-09     -3.85931E-11      8.74751E-14
29       0    1.10134E-06     -1.08719E-08      2.37398E-12     -1.65988E-13
（表３）
D1     D2     D3       D4      D5      BF
短焦点距離端 f=16.5   1.250  6.218  27.029   1.491  13.817   39.247
中間焦点距離 f=28.1  10.231  6.796  11.477   8.698   6.610   50.002
長焦点距離端 f=48.5  34.205  8.317   4.050  13.562   1.751   61.927
（表４）
群                             焦点距離
第１レンズ群                     142.6
第２レンズ群                     -27.25
第３レンズ群                     -62.31
第４レンズ群                     29.34
第５レンズ群                     -57.33
第６レンズ群                     53.89
第１〜第３レンズ群               短焦点距離端：-19.03、長焦点距離端：-20.54
後続レンズ群                     短焦点距離端：39.57、長焦点距離端：37.44
（表５）
（１）Ｔｗｔ／Ｔｗｍ     -0.43
（２）ｆｒｗ／Ｙａ        2.78
（３）｜ｆ３／ｆｆｗ｜     3.27
（４）｜ｆ３／ｆｆｔ｜     2.38
（５）ｆ２／ｆ３            0.44
（６）Ｒ３ｇｆ／Ｒ２ｇｒ   0.76
（７）Ｂｆｗ／Ｙａ         2.76
（８）Ｂｆｗ／ｆｗ         2.39
（９）ｆ１／ｆｗ          3.60
（１０）νｐＭＡＸ        32.3
（１１）ｆ１／Ｔｗｔ１    4.10
（１２）ｆ１／ｆ２３ｗ   -9.29
（１３）Ｄ（２Ｒ−３Ｆ）Ｔ／Ｄ（２Ｆ−３Ｒ）Ｔ     0.28
（１４）（１−Ｍｔ＾２）×ＭＲｔ＾２                2.55
（１５）ｆ４／ｆ６          0.54
（１６）｜ｆＮ／ｆｒｍ｜   1.53
（１７）ν３ｎ／ν３ｐ      1.72
（１８）Ｎ３ｐ               1.85883
（１９）Ｎ３ａ               1.79462
【００９７】
［数値実施例２］
図２、図１０〜図１２と表６〜表１０は、数値実施例２のズームレンズ系を示している。図２はレンズ構成図である。図１０、図１１、図１２は、短焦点距離端、中間焦点距離、長焦点距離端における収差曲線図である。表６は面データ、表７は非球面データ、表８は可変間隔量データ、表９はズームレンズ群データ、表１０は条件式データである。
【００９８】
数値実施例２のズームレンズ系のレンズ構成は、以下の点を除いて、数値実施例１のズームレンズ系のレンズ構成と同様である。
（１）第３レンズ群Ｇ３の正レンズ３２が、両凸正レンズではなく、物体側に凸の平凸正レンズから構成されている。
【００９９】
（表６）
f=16.5〜28.5〜48.6、F=2.9〜2.9〜2.9、w=42.0〜26.8〜16.1、Ya=14.24
面番号        R           D           Nd            νd        硝種（硝材）
1         368.508       2.17       1.85896         22.73      S-NPH5(OHARA)
2         125.000       4.58       1.74100         52.64     S-LAL61(OHARA)
3         480.387       0.15
4          59.429       6.61       1.67790         55.34     S-LAL12(OHARA)
5         182.982         D1
6*        151.330       0.10       1.52970         42.70         光学樹脂
7          74.978       1.50       1.80400         46.53    S-LAH65VS(OHARA)
8          16.435       8.49
9         -46.380       1.40       1.77250         49.60      S-LAH66(OHARA)
10         55.204       5.22       1.73800         32.33     S-NBH53V(OHARA)
11        -49.343       0.20       1.52970         42.70         光学樹脂
12*       -42.716         D2
13        -36.457       1.30       1.72000         50.23      S-LAL10(OHARA)
14         30.646       3.90       1.85025         30.05      S-NBH57(OHARA)
15           ∞           D3
16          絞り        1.30
17*        42.436       6.32       1.49710         81.56       M-FCD1(HOYA)
18*       -60.195       0.20
19         72.187       6.87       1.59522         67.73      S-FPM2(OHARA)
20        -33.293       1.40       1.84666         23.78     S-TIH53W(OHARA)
21        -53.968         D4
22           -113.518       1.40       1.80100         34.97     S-LAM66(OHARA)
23         22.123       4.47       1.92286         20.88     E-FDS1-W(HOYA)
24         57.089         D5
25         42.894       1.40       2.00100         29.13       TAFD55(HOYA)
26         19.871       5.70       1.49700         81.61         FCD1(HOYA)
27         84.692       0.20
28*        40.337       8.14       1.49710         81.56       M-FCD1(HOYA)
29*       -34.034         BF
＊は回転対称非球面である。
（表７）
面番号   K          A4               A6               A8               A10
6        0    1.69364E-05     -3.01171E-08      4.58285E-11     -1.94966E-14
12       0    4.53006E-06      2.78274E-09     -1.18907E-10      5.85653E-13
17       0   -9.60746E-06     -4.72907E-09     -8.90566E-12      3.79932E-14
18       0   -1.89625E-06     -7.40575E-09
28       0   -3.77184E-06     -6.97085E-09      2.12525E-11      8.54793E-14
29       0    2.03163E-06     -1.59070E-08
（表８）
D1     D2     D3       D4      D5      BF
短焦点距離端 f=16.5   1.000  6.038  26.757   2.000   13.175  38.990
中間焦点距離 f=28.5   3.259  7.502   9.030   9.763    5.412  53.533
長焦点距離端 f=48.6  31.922  8.255   3.950  13.175    2.000  61.584
（表９）
群                             焦点距離
第１レンズ群                     130.3
第２レンズ群                     -26.17
第３レンズ群                     -64.79
第４レンズ群                     29.53
第５レンズ群                     -56.09
第６レンズ群                     52.93
第１〜第３レンズ群               短焦点距離端：-19.01、長焦点距離端：-26.63
後続レンズ群                     短焦点距離端：39.61、長焦点距離端：35.59
（表１０）
（１）Ｔｗｔ／Ｔｗｍ     -1.16
（２）ｆｒｗ／Ｙａ         2.78
（３）｜ｆ３／ｆｆｗ｜     3.41
（４）｜ｆ３／ｆｆｔ｜     2.43
（５）ｆ２／ｆ３            0.40
（６）Ｒ３ｇｆ／Ｒ２ｇｒ   0.85
（７）Ｂｆｗ／Ｙａ         2.74
（８）Ｂｆｗ／ｆｗ         2.37
（９）ｆ１／ｆｗ          3.29
（１０）νｐＭＡＸ        32.3
（１１）ｆ１／Ｔｗｔ１    3.96
（１２）ｆ１／ｆ２３ｗ   -8.64
（１３）Ｄ（２Ｒ−３Ｆ）Ｔ／Ｄ（２Ｆ−３Ｒ）Ｔ     0.28
（１４）（１−Ｍｔ＾２）×ＭＲｔ＾２                2.00
（１５）ｆ４／ｆ６         0.56
（１６）｜ｆＮ／ｆｒｍ｜   1.51
（１７）ν３ｎ／ν３ｐ      1.67
（１８）Ｎ３ｐ               1.85025
（１９）Ｎ３ａ               1.78513
【０１００】
［数値実施例３］
図３、図１３〜図１５と表１１〜表１５は、数値実施例３のズームレンズ系を示している。図３はレンズ構成図である。図１３、図１４、図１５は、短焦点距離端、中間焦点距離、長焦点距離端における収差曲線図である。表１１は面データ、表１２は非球面データ、表１３は可変間隔量データ、表１４はズームレンズ群データ、表１５は条件式データである。
【０１０１】
数値実施例３のズームレンズ系のレンズ構成は、以下の点を除いて、数値実施例１のズームレンズ系のレンズ構成と同様である。
（１）第３レンズ群Ｇ３の正レンズ３２が、両凸正レンズではなく、物体側に凸の正メニスカスレンズから構成されている。
【０１０２】
（表１１）
f=16.5〜28.2〜48.6、F=2.9〜2.9〜2.9、w=41.9〜26.9〜16.1、Ya=14.24
面番号        R           D           Nd            νd        硝種（硝材）
1         444.922       2.00       1.84666         23.78     S-TIH53W(OHARA)
2         119.286       4.81       1.72916         54.68      S-LAL18(OHARA)
3         517.614       0.15
4          60.346       6.50       1.75500         52.32      S-LAH97(OHARA)
5         177.527         D1
6*        123.260       0.10       1.52970         42.70         光学樹脂
7          67.227       1.50       1.77250         49.60      S-LAH66(OHARA)
8          15.727       8.82
9         -47.511       1.70       1.83481         42.74    S-LAH55VS(OHARA)
10        108.989       4.86       1.74077         27.79     S-TIH13(OHARA)
11        -49.540       0.10       1.52970         42.70         光学樹脂
12*       -50.382         D2
13        -43.191       0.90       1.71300         53.87       S-LAL8(OHARA)
14         36.368       2.83       1.90366         31.34      S-LAH95(OHARA)
15       1014.485         D3
16          絞り        1.30
17*        40.844       5.72       1.49700         81.54      S-FPL51(OHARA)
18*       -58.146       0.20
19         59.425       6.16       1.60300         65.44      S-PHM53(OHARA)
20        -39.266       1.80       1.84666         23.78      S-TIH53W(OHARA)
21        -67.092         D4
22       -119.956       1.50       1.80100         34.97      S-LAM66(OHARA)
23         19.726       4.42       1.92286         20.88      E-FDS1-W(HOYA)
24         48.277         D5
25         37.619       1.00       2.00100         29.13       TAFD55(HOYA)
26         16.997       5.95       1.49700         81.61         FCD1(HOYA)
27        143.659       1.69
28*        49.008       8.14       1.49700         81.54     S-FPL51(OHARA)
29*       -32.352         BF
＊は回転対称非球面である。
（表１２）
面番号   K          A4               A6               A8               A10
6        0    1.61683E-05     -2.82648E-08      4.04557E-11     -1.88010E-14
12       0    4.69990E-06     -9.81276E-09     -5.19004E-11      4.01179E-13
17       0   -9.89042E-06     -5.22417E-09     -3.25786E-11      5.66871E-14
18       0   -3.00384E-06     -3.99768E-09     -4.11839E-11      3.58618E-14
28       0   -6.28769E-06      1.27418E-08     -1.65986E-10      5.48898E-13
29       0   -3.21298E-06     -1.46508E-08     -8.55460E-11     -9.52581E-14
（表１３）
D1     D2     D3       D4      D5      BF
短焦点距離端 f=16.5   1.000  5.987  29.148   3.380  10.469  36.363
中間焦点距離 f=28.2   6.434  7.273  11.186   9.219   4.634  49.517
長焦点距離端 f=48.6  31.516  9.410   4.067  12.327   1.527  59.479
（表１４）
群                             焦点距離
第１レンズ群                     126.1
第２レンズ群                     -23.68
第３レンズ群                     -82.42
第４レンズ群                     28.57
第５レンズ群                     -50.74
第６レンズ群                     51.94
第１〜第３レンズ群               短焦点距離端：-19.62、長焦点距離端：-27.61
後続レンズ群                     短焦点距離端：40.00、長焦点距離端：36.20
（表１５）
（１）Ｔｗｔ／Ｔｗｍ      -0.42
（２）ｆｒｗ／Ｙａ         2.81
（３）｜ｆ３／ｆｆｗ｜     4.20
（４）｜ｆ３／ｆｆｔ｜     2.99
（５）ｆ２／ｆ３            0.29
（６）Ｒ３ｇｆ／Ｒ２ｇｒ   0.86
（７）Ｂｆｗ／Ｙａ         2.55
（８）Ｂｆｗ／ｆｗ         2.21
（９）ｆ１／ｆｗ          3.15
（１０）νｐＭＡＸ        31.3
（１１）ｆ１／Ｔｗｔ１    3.95
（１２）ｆ１／ｆ２３ｗ   -8.16
（１３）Ｄ（２Ｒ−３Ｆ）Ｔ／Ｄ（２Ｆ−３Ｒ）Ｔ     0.31
（１４）（１−Ｍｔ＾２）×ＭＲｔ＾２                2.00
（１５）ｆ４／ｆ６         0.55
（１６）｜ｆＮ／ｆｒｍ｜   1.34
（１７）ν３ｎ／ν３ｐ      1.72
（１８）Ｎ３ｐ               1.90366
（１９）Ｎ３ａ               1.80833
【０１０３】
［数値実施例４］
図４、図１６〜図１８と表１６〜表２０は、数値実施例４のズームレンズ系を示している。図４はレンズ構成図である。図１６、図１７、図１８は、短焦点距離端、中間焦点距離、長焦点距離端における収差曲線図である。表１６は面データ、表１７は非球面データ、表１８は可変間隔量データ、表１９はズームレンズ群データ、表２０は条件式データである。
【０１０４】
数値実施例４のズームレンズ系のレンズ構成は、以下の点を除いて、数値実施例１のズームレンズ系のレンズ構成と同様である。
（１）第２レンズ群Ｇ２の正レンズ２３が、ハイブリッドレンズではなく、像側の面に非球面を有する非球面レンズから構成されている。
（２）第３レンズ群Ｇ３の正レンズ３２が、両凸正レンズではなく、物体側に凸の正メニスカスレンズから構成されている。
（３）第４レンズ群Ｇ４が、物体側から順に、両凸正レンズ４１’と、開口絞りＳＰと、両凸正レンズ４２’と、像側に凸の負メニスカスレンズ４３’とから構成されている。両凸正レンズ４２’は、物体側の面に非球面を有している。両凸正レンズ４２’と負メニスカスレンズ４３’は、接合されている。
（４）第５レンズ群Ｇ５が、物体側から順に、両凹負レンズ５１’と、両凹負レンズ５２’と、物体側に凸の正メニスカスレンズ５３’とから構成されている。両凹負レンズ５２’と正メニスカスレンズ５３’は、接合されている。
（５）第６レンズ群Ｇ６の正レンズ６２が、物体側に凸の正メニスカスレンズではなく、両凸正レンズから構成されている。
（６）第６レンズ群Ｇ６の両凸正レンズ６３が、両面非球面ではなく、物体側の面だけに非球面を有している。
【０１０５】
（表１６）
f=16.4〜28.2〜48.5、F=2.9〜2.9〜2.9、w=42.0〜27.1〜16.1、Ya=14.24
面番号        R           D           Nd            νd        硝種（硝材）
1        2692.178       2.37       1.84666         23.78    S-TIH53W(OHARA)
2         151.356       5.10       1.80400         46.53    S-LAH65VS(OHARA)
3        3686.730       0.15
4          71.758       6.39       1.75500         52.32    S-LAH97(OHARA)
5         233.756         D1
6*         78.496       0.05       1.52970         42.70        光学樹脂
7          57.064       1.50       1.83481         42.74    S-LAH55VS(OHARA)
8          15.892       9.04
9         -91.408       1.40       1.69680         55.53    S-LAL14(OHARA)
10         27.396       6.42       1.68948         31.02    L-TIM28(OHARA)
11*      -103.276         D2
12        -27.881       1.00       1.53775         74.70    S-FPM3(OHARA)
13         80.466       2.98       1.90366         31.34    S-LAH95(OHARA)
14      -1034.624         D3
15         34.665       6.01       1.55332         71.68    M-FCD500(HOYA)
16        -68.601       1.00
17          絞り        2.30
18*        52.301       6.32       1.61881         63.85     M-PCD4(HOYA)
19        -32.784       3.48       1.84666         23.78    S-TIH53W(OHARA)
20        -73.735         D4
21       -437.375       1.40       2.00100         29.13     TAFD55(HOYA)
22         69.701       1.67 
23       -103.385       1.40       1.80610         40.93    S-LAH53V(OHARA)
24         27.165       3.97       1.94595         17.98    FDS18-W(HOYA)
25        166.724         D5
26        104.775          1.40       1.84666         23.78    S-TIH53W(OHARA)
27         26.064           6.25       1.49700         81.54    S-FPL51(OHARA)
28        -52.988           0.15
29*        46.590           6.20       1.49710         81.56     M-FCD1(HOYA)
30        -51.757            BF
＊は回転対称非球面である。
（表１７）
面番号   K          A4               A6               A8               A10
6        0     1.09778E-05    -1.68183E-08     1.45658E-11      -1.22128E-14
11   44.65936  1.20183E-06     1.13729E-08    -2.02364E-10       7.90405E-13
18       0    -8.72559E-06    -8.20277E-09    -1.07667E-12      -3.25462E-14
29       0    -3.33429E-06     1.13062E-08    -4.50608E-11       1.15988E-13
（表１８）
D1     D2     D3       D4      D5      BF
短焦点距離端 f=16.2   1.000  6.696  23.511   1.500   9.848   37.499
中間焦点距離 f=28.2   2.967  8.038   6.739   7.349   4.039   52.387
長焦点距離端 f=48.5  32.172  8.363   1.500   9.848   1.500   62.838
（表１９）
群                             焦点距離
第１レンズ群                     138.4
第２レンズ群                     -25.00
第３レンズ群                     -72.58
第４レンズ群                     27.48
第５レンズ群                     -39.26
第６レンズ群                     41.23
第１〜第３レンズ群               短焦点距離端：-18.94、長焦点距離端：-25.92
後続レンズ群                     短焦点距離端：40.53、長焦点距離端：36.73
（表２０）
（１）Ｔｗｔ／Ｔｗｍ      -9.96
（２）ｆｒｗ／Ｙａ         2.85
（３）｜ｆ３／ｆｆｗ｜     3.83
（４）｜ｆ３／ｆｆｔ｜     2.80
（５）ｆ２／ｆ３            0.34
（６）Ｒ３ｇｆ／Ｒ２ｇｒ   0.27
（７）Ｂｆｗ／Ｙａ         2.63
（８）Ｂｆｗ／ｆｗ         2.28
（９）ｆ１／ｆｗ          3.42
（１０）νｐＭＡＸ        31.3
（１１）ｆ１／Ｔｗｔ１    3.83
（１２）ｆ１／ｆ２３ｗ   -9.04
（１３）Ｄ（２Ｒ−３Ｆ）Ｔ／Ｄ（２Ｆ−３Ｒ）Ｔ     0.27
（１４）（１−Ｍｔ＾２）×ＭＲｔ＾２                2.39
（１５）ｆ４／ｆ６         0.67
（１６）｜ｆＮ／ｆｒｍ｜   1.02
（１７）ν３ｎ／ν３ｐ      2.38
（１８）Ｎ３ｐ               1.90366
（１９）Ｎ３ａ               1.72071
【０１０６】
［数値実施例５］
図５、図１９〜図２１と表２１〜表２５は、数値実施例５のズームレンズ系を示している。図５はレンズ構成図である。図１９、図２０、図２１は、短焦点距離端、中間焦点距離、長焦点距離端における収差曲線図である。表２１は面データ、表２２は非球面データ、表２３は可変間隔量データ、表２４はズームレンズ群データ、表２５は条件式データである。
【０１０７】
数値実施例５のズームレンズ系のレンズ構成は、以下の点を除いて、数値実施例４のズームレンズ系のレンズ構成と同様である。
（１）第３レンズ群Ｇ３の正レンズ３２が、物体側に凸の正メニスカスレンズではなく、両凸正レンズから構成されている。
【０１０８】
（表２１）
f=16.5〜28.1〜48.5、F=2.9〜2.9〜2.9、w=42.0〜26.7〜16.1、Ya=14.24
面番号        R           D           Nd            νd        硝種（硝材）
1        2451.756       2.26      1.84666          23.78     S-TIH53W(OHARA)
2         165.561       4.46      1.78800          47.37      S-LAH64(OHARA)
3        2335.532       0.15
4          63.208       6.26      1.75500          52.32      S-LAH97(OHARA) 
5         181.795         D1
6*        114.364       0.05      1.52970          42.70         光学樹脂
7          73.287       1.50      1.83481          42.74     S-LAH55VS(OHARA)
8          16.000       9.01
9        -112.009       1.40      1.73400          51.47      S-LAL59(OHARA)
10         44.410       5.52      1.68948          31.02      L-TIM28(OHARA)
11*       -85.317         D2
12        -27.853       1.40      1.60300          65.44      S-PHM53(OHARA)
13        191.609       3.02      1.85478          24.80      S-NBH56(OHARA)
14       -128.098         D3
15         34.776       6.49      1.55332          71.68      M-FCD500(HOYA)
16        -58.842       1.00
17          絞り        2.30
18*        56.494       6.22      1.61881          63.85       M-PCD4(HOYA)
19        -33.032       1.40      1.84666          23.78     S-TIH53W(OHARA)
20        -79.415         D4
21       -147.237       1.40      2.00100          29.13       TAFD55(HOYA)
22        107.016       1.16
23       -135.833       1.40      1.80610          40.93     S-LAH53V(OHARA)
24         25.162       3.71      1.94595          17.98      FDS18-W (HOYA)
25        102.481         D5
26        107.499       1.40      1.85478          24.80      S-NBH56(OHARA)
27         26.020       5.78      1.49700          81.54      S-FPL51(OHARA)
28        -54.639       0.15
29*        58.071       5.89      1.49710          81.56       M-FCD1(HOYA)
30        -40.822         BF
＊は回転対称非球面である。
（表２２）
面番号   K          A4               A6               A8               A10
6        0     1.20367E-05    -2.07979E-08     1.96627E-11     -1.80585E-14
11  28.84614  -6.92047E-08     9.39420E-10    -1.20445E-10      4.12078E-13
18       0    -9.05652E-06    -1.05668E-08     3.82396E-12     -4.30322E-14
29       0    -3.22815E-06     1.43652E-08    -6.60275E-11      2.01020E-13
（表２３）
D1     D2     D3       D4      D5      BF
短焦点距離端 f=16.5   1.000  7.993  23.724   2.000  12.349   38.614
中間焦点距離 f=28.1  13.985  8.005  10.125   7.970   6.419   46.297
長焦点距離端 f=48.5  31.376  8.847   2.000  12.349   2.000   58.980
（表２４）
群                             焦点距離
第１レンズ群                     131.3
第２レンズ群                     -24.65
第３レンズ群                     -75.24
第４レンズ群                     27.40
第５レンズ群                     -37.90
第６レンズ群                     41.67
第１〜第３レンズ群               短焦点距離端：-19.11、長焦点距離端：-26.69
後続レンズ群                     短焦点距離端：42.50、長焦点距離端：37.16
（表２５）
（１）Ｔｗｔ／Ｔｗｍ       0.09
（２）ｆｒｗ／Ｙａ         2.98
（３）｜ｆ３／ｆｆｗ｜     3.94
（４）｜ｆ３／ｆｆｔ｜     2.82
（５）ｆ２／ｆ３            0.33
（６）Ｒ３ｇｆ／Ｒ２ｇｒ   0.33
（７）Ｂｆｗ／Ｙａ         2.71
（８）Ｂｆｗ／ｆｗ         2.35
（９）ｆ１／ｆｗ          3.09
（１０）νｐＭＡＸ        31.0
（１１）ｆ１／Ｔｗｔ１    4.40
（１２）ｆ１／ｆ２３ｗ   -8.65
（１３）Ｄ（２Ｒ−３Ｆ）Ｔ／Ｄ（２Ｆ−３Ｒ）Ｔ     0.29
（１４）（１−Ｍｔ＾２）×ＭＲｔ＾２                2.21
（１５）ｆ４／ｆ６         0.66
（１６）｜ｆＮ／ｆｒｍ｜   0.94
（１７）ν３ｎ／ν３ｐ      2.64
（１８）Ｎ３ｐ               1.85478
（１９）Ｎ３ａ               1.72889
【０１０９】
［数値実施例６］
図６、図２２〜図２４と表２６〜表３０は、数値実施例６のズームレンズ系を示している。図６はレンズ構成図である。図２２、図２３、図２４は、短焦点距離端、中間焦点距離、長焦点距離端における収差曲線図である。表２６は面データ、表２７は非球面データ、表２８は可変間隔量データ、表２９はズームレンズ群データ、表３０は条件式データである。
【０１１０】
数値実施例６のズームレンズ系のレンズ構成は、以下の点を除いて、数値実施例５のズームレンズ系のレンズ構成と同様である。
（１）第２レンズ群Ｇ２の両凸正レンズ２３が、非球面レンズではない。
（２）第５レンズ群Ｇ５の負レンズ５２’が、両凹負レンズではなく、物体側に凸の負メニスカスレンズから構成されている。
（３）第６レンズ群Ｇ６が、物体側から順に、物体側に凸の負メニスカスレンズ６１’と、両凸正レンズ６２’と、物体側に凸の正メニスカスレンズ６３’と、物体側に凸の負メニスカスレンズ６４’とから構成されている。負メニスカスレンズ６１’は、ガラスレンズの物体側の面に合成樹脂材料による非球面層が接着形成されたハイブリッドレンズから構成されている。負メニスカスレンズ６１’と両凸正レンズ６２’は、接合されている。正メニスカスレンズ６３’と負メニスカスレンズ６４’は、接合されている。
【０１１１】
（表２６）
f=16.4〜28.2〜48.6、F=2.9〜2.9〜2.9、w=42.0〜26.7〜16.1、Ya=14.24
面番号        R           D           Nd            νd        硝種（硝材）
1        2691.580       2.40       1.94595         17.98      FDS18-W(HOYA)
2         236.756       3.54       1.80400         46.53    S-LAH65VS(OHARA)
3        5547.365       0.15
4          72.410       6.02       1.80400         46.53    S-LAH65VS(OHARA)
5         230.547         D1
6*         95.297       0.05       1.51640         52.20        光学樹脂
7          64.508       1.50       1.80400         46.53     S-LAH65VS(OHARA)
8          17.355       9.98
9         -50.114       1.40       1.80400         46.53     S-LAH65VS(OHARA)
10         25.471       7.21       1.69895         30.13       S-TIM35(OHARA)
11        -45.259         D2
12        -27.255       1.40       1.65160         58.55       S-LAL7(OHARA)
13         51.605       3.55       1.90366         31.31        TAFD25(HOYA)
14       -486.016         D3
15         37.238       5.71       1.59522         67.73       S-FPM2(OHARA)
16        -56.263       1.00
17          絞り        0.20
18*        43.481       5.28       1.59201         67.02       M-PCD51(HOYA)
19        -51.709       1.40       1.94595         17.98       FDS18-W(HOYA)
20       -216.709         D4
21       -226.901       1.40       1.90525         35.04      S-LAH93(OHARA)
22        107.748       0.91
23       2425.350       1.40       1.89190         37.13      S-LAH92(OHARA)
24         26.148       3.55       1.94595         17.98       FDS18-W(HOYA)
25         89.414         D5
26*        74.669       0.08       1.51640         52.20          光学樹脂
27         78.667       1.40       1.92119         23.96        FDS24(HOYA)
28         32.953       8.72       1.49700         81.61         FCD1(HOYA)
29        -28.987       0.15
30          41.11       3.40       1.49700         81.61         FCD1(HOYA)
31        535.828       1.40       1.90043         37.37       TAFD37(HOYA)
32        159.099         BF
＊は回転対称非球面である。
（表２７）
面番号   K          A4               A6               A8               A10
6        0     1.13949E-05    -1.29877E-08     1.78064E-11     -7.48111E-15
18       0    -7.64091E-06    -5.79808E-09    -2.39943E-11      1.32093E-14
26       0    -8.66387E-06    -2.62725E-10     6.88313E-11     -1.98047E-13
（表２８）
D1     D2      D3       D4      D5       BF
短焦点距離端 f=16.4   1.000  10.133  17.453   2.000   10.344   37.004
中間焦点距離 f=28.2  13.764   7.581   7.477   6.726    5.622   47.897
長焦点距離端 f=48.6  34.142   6.947   2.000  10.344    2.000   60.358
（表２９）
群                             焦点距離
第１レンズ群                     136.1
第２レンズ群                     -26.47
第３レンズ群                     -58.96
第４レンズ群                     27.53
第５レンズ群                     -47.75
第６レンズ群                     41.79
第１〜第３レンズ群               短焦点距離端：-17.14、長焦点距離端：-25.18
後続レンズ群                     短焦点距離端：35.87、長焦点距離端：33.13
（表３０）
（１）Ｔｗｔ／Ｔｗｍ      -2.89
（２）ｆｒｗ／Ｙａ         2.52
（３）｜ｆ３／ｆｆｗ｜     3.44
（４）｜ｆ３／ｆｆｔ｜     2.34
（５）ｆ２／ｆ３            0.45
（６）Ｒ３ｇｆ／Ｒ２ｇｒ   0.60
（７）Ｂｆｗ／Ｙａ         2.60
（８）Ｂｆｗ／ｆｗ         2.25
（９）ｆ１／ｆｗ          3.79
（１０）νｐＭＡＸ        31.3
（１１）ｆ１／Ｔｗｔ１    3.60
（１２）ｆ１／ｆ２３ｗ   -9.82
（１３）Ｄ（２Ｒ−３Ｆ）Ｔ／Ｄ（２Ｆ−３Ｒ）Ｔ     0.22
（１４）（１−Ｍｔ＾２）×ＭＲｔ＾２                2.81
（１５）ｆ４／ｆ６         0.66
（１６）｜ｆＮ／ｆｒｍ｜   1.38
（１７）ν３ｎ／ν３ｐ      1.87
（１８）Ｎ３ｐ               1.90366
（１９）Ｎ３ａ               1.77763
【０１１２】
［数値実施例７］
図７、図２８〜図３０と表３１〜表３５は、数値実施例７のズームレンズ系を示している。図７はレンズ構成図である。図２８、図２９、図３０は、短焦点距離端、中間焦点距離、長焦点距離端における収差曲線図である。表３１は面データ、表３２は非球面データ、表３３は可変間隔量データ、表３４はズームレンズ群データ、表３５は条件式データである。
【０１１３】
数値実施例７のズームレンズ系は、物体側から順に、前側レンズ群ＧＦと、後続レンズ群ＧＲとから構成されている。前側レンズ群ＧＦは、物体側から順に、正の屈折力の第１レンズ群Ｇ１と、負の屈折力の第２レンズ群Ｇ２と、負の屈折力の第３レンズ群Ｇ３とから構成されている。後続レンズ群ＧＲは、全体として正の屈折力を有しており、物体側から順に、正の屈折力の第４レンズ群Ｇ４と、負の屈折力の第５レンズ群Ｇ５と、正の屈折力の第６レンズ群Ｇ６と、正の屈折力の第７レンズ群Ｇ７から構成されている。
【０１１４】
第１レンズ群Ｇ１は、物体側から順に、物体側に凸の負メニスカスレンズ１１Ａと、両凸正レンズ１２Ａと、物体側に凸の正メニスカスレンズ１３Ａとから構成されている。負メニスカスレンズ１１Ａと両凸正レンズ１２Ａは、接合されている。
【０１１５】
第２レンズ群Ｇ２は、物体側から順に、物体側に凸の負メニスカスレンズ２１Ａと、両凹負レンズ２２Ａと、両凸正レンズ２３Ａとから構成されている。負メニスカスレンズ２１Ａは、ガラスレンズの物体側の面に合成樹脂材料による非球面層が接着形成されたハイブリッドレンズから構成されている。両凹負レンズ２２Ａと両凸正レンズ２３Ａは、接合されている。
【０１１６】
第３レンズ群Ｇ３は、物体側から順に、像側に凸の負メニスカスレンズ３１Ａと、像側に凸の正メニスカスレンズ３２Ａとから構成されている。負メニスカスレンズ３１Ａと正メニスカスレンズ３２Ａは、接合されている。
【０１１７】
第４レンズ群Ｇ４は、物体側から順に、両凸正レンズ４１Ａと、開口絞りＳＰと、両凸正レンズ４２Ａと、像側に凸の負メニスカスレンズ４３Ａとから構成されている。両凸正レンズ４２Ａは、物体側の面に非球面を有している。両凸正レンズ４２Ａと負メニスカスレンズ４３Ａは、接合されている。
【０１１８】
第５レンズ群Ｇ５は、物体側から順に、両凹負レンズ５１Ａと、物体側に凸の負メニスカスレンズ５２Ａと、物体側に凸の正メニスカスレンズ５３Ａとから構成されている。負メニスカスレンズ５２Ａと正メニスカスレンズ５３Ａは、接合されている。
【０１１９】
第６レンズ群Ｇ６は、物体側から順に、物体側に凸の負メニスカスレンズ６１Ａと、両凸正レンズ６２Ａとから構成されている。負メニスカスレンズ６１Ａは、ガラスレンズの物体側の面に合成樹脂材料による非球面層が接着形成されたハイブリッドレンズから構成されている。負メニスカスレンズ６１Ａと両凸正レンズ６２Ａは、接合されている。
【０１２０】
第７レンズ群Ｇ７は、物体側から順に、像側に凸の負メニスカスレンズ７１Ａと、両凸正レンズ７２Ａとから構成されている。
【０１２１】
（表３１）
f=16.5〜28.3〜48.5、F=2.9〜2.9〜2.9、w=41.9〜27.0〜16.4、Ya=14.24
面番号        R           D           Nd            νd        硝種（硝材）
1         291.692       2.400       1.92286        20.88      E-FDS1-W(HOYA)
2         120.449       6.220       1.65100        56.16      S-LAL54(OHARA)
3        -548.226       0.150
4          43.818       5.020       1.71299        53.87      S-LAL8(OHARA)
5          66.449         D1
6*        336.420       0.150       1.52972        42.53       光学樹脂
7          93.659       1.500       1.77250        49.60      S-LAH66(OHARA)
8          17.192       9.980
9         -49.824       1.400       1.83481        42.74      S-LAH55VS(OHARA)
10         19.857       7.210       1.78880        28.43      S-NBH58(OHARA)
11        -65.958         D2
12        -25.418       1.400       1.81600        46.62      S-LAH59(OHARA)
13       -114.054       2.550       1.95375        32.32      TAFD45(HOYA)
14        -51.081         D3
15         35.236       5.710       1.67300        38.25      S-NBH52V(OHARA)
16        -56.235       1.000
17          絞り        0.200
18*        41.527       5.280       1.61881        63.85      M-PCD4(HOYA)
19        -32.696       1.400       1.92286        20.88      E-FDS1-W(HOYA)
20       -146.106         D4
21       -104.542       1.200       2.00100        29.13      TAFD55(HOYA)
22         47.405       1.310
23        404.479       1.200       2.00100        29.13      TAFD55(HOYA)
24         22.161       3.550       1.94595        17.98      FDS18-W(HOYA)
25       2810.371         D5
26*        64.096       0.162       1.52972        42.53        光学樹脂
27         80.539       1.400       1.92119        23.96      FDS24(HOYA)
28         27.502       6.720       1.61800        63.33      S-PHM52(OHARA)
29        -31.729         D6
30        -38.041       1.400       1.85883        30.00      NBFD30(HOYA)
31        -74.136       0.200
32        494.049       4.600       1.75500        52.32      S-LAH97(OHARA)
33        -45.462         BF
＊は回転対称非球面である。
（表３２）
面番号   K          A4               A6               A8               A10
6        0     1.67962E-05     -2.80721E-08      4.50181E-11      -3.41388E-14
18       0    -6.55265E-06     -1.22352E-08      1.11553E-11      -8.32023E-14
26       0    -7.85801E-06      1.97385E-08     -2.73144E-11       0.00000E+00
（表３３）
D1     D2      D3       D4      D5      D6      BF
短焦点距離端 f=16.5   1.270  13.559  12.011   2.000   8.843   2.200   39.805
中間焦点距離 f=28.3  15.791   8.124   6.877   5.729   5.114  11.880   39.805
長焦点距離端 f=48.5  32.305   7.824   2.148   8.595   2.248  26.784   39.805
（表３４）
群                             焦点距離
第１レンズ群                     122.4
第２レンズ群                    -21.35
第３レンズ群                    -74.65
第４レンズ群                     24.24
第５レンズ群                    -32.01
第６レンズ群                     46.93
第７レンズ群                     123.6
第１〜第３レンズ群               短焦点距離端：-16.83、長焦点距離端：-26.15
後続レンズ群                     短焦点距離端：37.33、長焦点距離端：44.70
（表３５）
（１）Ｔｗｔ／Ｔｗｍ     -10.11
（２）ｆｒｗ／Ｙａ         2.62
（３）｜ｆ３／ｆｆｗ｜      4.44
（４）｜ｆ３／ｆｆｔ｜      2.85
（５）ｆ２／ｆ３             0.29
（６）Ｒ３ｇｆ／Ｒ２ｇｒ    0.39
（７）Ｂｆｗ／Ｙａ          2.80
（８）Ｂｆｗ／ｆｗ          2.42
（９）ｆ１／ｆｗ           3.28
（１０）νｐＭＡＸ         32.3
（１１）ｆ１／Ｔｗｔ１     3.06
（１２）ｆ１／ｆ２３ｗ    -9.39
（１３）Ｄ（２Ｒ−３Ｆ）Ｔ／Ｄ（２Ｆ−３Ｒ）Ｔ     0.24
（１４）（１−Ｍｔ＾２）×ＭＲｔ＾２                2.19
（１５）ｆ４／ｆ６         0.52
（１６）｜ｆＮ／ｆｒｍ｜   0.80
（１７）ν３ｎ／ν３ｐ      1.44
（１８）Ｎ３ｐ               1.9538
（１９）Ｎ３ａ               1.8849
【０１２２】
［数値実施例８］
図８、図３１〜図３３と表３６〜表４０は、数値実施例８のズームレンズ系を示している。図８はレンズ構成図である。図３１、図３２、図３３は、短焦点距離端、中間焦点距離、長焦点距離端における収差曲線図である。表３６は面データ、表３７は非球面データ、表３８は可変間隔量データ、表３９はズームレンズ群データ、表４０は条件式データである。
【０１２３】
数値実施例８のズームレンズ系は、物体側から順に、前側レンズ群ＧＦと、後続レンズ群ＧＲとから構成されている。前側レンズ群ＧＦは、物体側から順に、正の屈折力の第１レンズ群Ｇ１と、負の屈折力の第２レンズ群Ｇ２と、負の屈折力の第３レンズ群Ｇ３とから構成されている。後続レンズ群ＧＲは、全体として正の屈折力を有しており、物体側から順に、負の屈折力の第４レンズ群Ｇ４と、正の屈折力の第５レンズ群Ｇ５と、正の屈折力の第６レンズ群Ｇ６とから構成されている。
【０１２４】
第１レンズ群Ｇ１は、物体側から順に、物体側に凸の負メニスカスレンズ１１Ｂと、物体側に凸の正メニスカスレンズ１２Ｂと、物体側に凸の正メニスカスレンズ１３Ｂとから構成されている。負メニスカスレンズ１１Ｂと正メニスカスレンズ１２Ｂは、接合されている。
【０１２５】
第２レンズ群Ｇ２は、物体側から順に、物体側に凸の負メニスカスレンズ２１Ｂと、両凹負レンズ２２Ｂと、両凸正レンズ２３Ｂとから構成されている。負メニスカスレンズ２１Ａは、物体側の面に非球面を有している。両凹負レンズ２２Ｂと両凸正レンズ２３Ｂは、接合されている。
【０１２６】
第３レンズ群Ｇ３は、物体側から順に、両凹負レンズ３１Ｂと、両凸正レンズ３２Ｂとから構成されている。両凹負レンズ３１Ｂと両凸正レンズ３２Ｂは、接合されている。
【０１２７】
第４レンズ群Ｇ４は、物体側から順に、両凹負レンズ４１Ｂと、物体側に凸の正メニスカスレンズ４２Ｂとから構成されている。両凹負レンズ４１Ｂは、物体側の面に非球面を有している。両凹負レンズ４１Ｂと正メニスカスレンズ４２Ｂは、接合されている。
【０１２８】
第５レンズ群Ｇ５は、物体側から順に、開口絞りＳＰと、両凸正レンズ５１Ｂと、両凸正レンズ５２Ｂと、両凹負レンズ５３Ｂとから構成されている。両凸正レンズ５１Ｂは、物体側の面に非球面を有している。両凸正レンズ５２Ｂと両凹負レンズ５３Ｂは、接合されている。
【０１２９】
第６レンズ群Ｇ６は、物体側から順に、両凸正レンズ６１Ｂと、両凸正レンズ６２Ｂと、両凹負レンズ６３Ｂと、両凸正レンズ６４Ｂとから構成されている。両凸正レンズ６１Ｂは、物体側の面に非球面を有している。両凹負レンズ６３Ｂと両凸正レンズ６４Ｂは、接合されている。
【０１３０】
（表３６）
f=15.5〜26.0〜43.7、F=2.9〜2.9〜2.9、w=44.3〜28.4〜17.6、Ya=14.24
面番号        R           D           Nd            νd        硝種（硝材）
1         199.785       2.170      1.89286        20.36        S-NPH4(OHARA)
2         102.000       4.500      1.51742        52.43        S-NSL36(OHARA)
3         252.412       0.150
4          73.641       5.400      1.69680        55.53        S-LAL14(OHARA)
5         462.457         D1
6*         81.668       1.600      1.95150        29.83        M-TAFD405(HOYA)
7          18.244      10.500
8         -43.000       1.200      1.72916        54.09        S-LAL19(OHARA)
9          36.802       6.500      1.90366        31.31        TAFD25(HOYA)
10        -52.610         D2
11        -40.000       0.900      1.78800        47.37        S-LAH64(OHARA)
12         36.096       4.020      1.85478        24.80        S-NBH56(OHARA)
13       -110.287         D3
14*      -172.999       1.300      1.80139        45.45        M-TAF31(HOYA)
15         30.000       3.200      1.67270        32.10        S-TIM25(OHARA)
16        141.865         D4
17           絞り       1.400
18*        45.066       5.000      1.88202        37.22        M-TAFD307(HOYA)
19       -104.442       0.200
20         40.401       6.800      1.43875        94.94        S-FPL53(OHARA)
21        -39.367       1.200      2.05090        26.94        TAFD65(HOYA)
22        102.564         D5
23*        39.054       5.000      1.59201        67.02        M-PCD51(HOYA)
24       -142.331       6.804
25         57.370       4.000      1.90043        37.37        TAFD37A(HOYA)
26       -169.112       0.200
27       -721.402       1.100      1.88300        40.80        TAFD30(HOYA)
28         19.345       6.500      1.49710        81.56        M-FCD1(HOYA)
29*       -84.510         BF
＊は回転対称非球面である。
（表３７）
面番号   K          A4               A6               A8               A10
6        0     3.64346E-06     -2.47870E-09     -4.61506E-13     -7.42412E-17
14       0     3.17941E-06      4.43317E-09      0.00000E+00      0.00000E+00
18       0    -9.18320E-07      1.42386E-09      4.71883E-13      0.00000E+00
23       0    -4.01194E-06     -2.63557E-10      0.00000E+00      0.00000E+00
29       0     8.71569E-06      1.73183E-09      1.40611E-11      0.00000E+00
（表３８）
D1     D2      D3       D4      D5      BF
短焦点距離端 f=15.5   1.270   3.251  11.988  14.454  16.804   35.592
中間焦点距離 f=26.0  14.385  10.741   4.498   7.158   7.047   50.304
長焦点距離端 f=43.7  30.919  13.039   2.200   3.000   2.270   67.802
（表３９）
群                             焦点距離
第１レンズ群                     149.1
第２レンズ群                    -34.85
第３レンズ群                    -103.0
第４レンズ群                    -72.60
第５レンズ群                     54.75
第６レンズ群                     41.02
第１〜第３レンズ群               短焦点距離端：-27.82、長焦点距離端：-35.09
後続レンズ群                     短焦点距離端：34.64、長焦点距離端：38.60
（表４０）
（１）Ｔｗｔ／Ｔｗｍ      -2.66
（２）ｆｒｗ／Ｙａ         2.43
（３）｜ｆ３／ｆｆｗ｜      3.70
（４）｜ｆ３／ｆｆｔ｜      2.94
（５）ｆ２／ｆ３             0.34
（６）Ｒ３ｇｆ／Ｒ２ｇｒ    0.76
（７）Ｂｆｗ／Ｙａ          2.50
（８）Ｂｆｗ／ｆｗ          2.30
（９）ｆ１／ｆｗ           4.30
（１０）νｐＭＡＸ         31.3
（１１）ｆ１／Ｔｗｔ１     4.82
（１２）ｆ１／ｆ２３ｗ    -6.71
（１３）Ｄ（２Ｒ−３Ｆ）Ｔ／Ｄ（２Ｆ−３Ｒ）Ｔ     0.35
（１４）（１−Ｍｔ＾２）×ＭＲｔ＾２                1.07
（１５）ｆ４／ｆ６         -（非該当）
（１６）｜ｆＮ／ｆｒｍ｜   1.98
（１７）ν３ｎ／ν３ｐ      1.91
（１８）Ｎ３ｐ               1.8548
（１９）Ｎ３ａ               1.8214
【０１３１】
［数値実施例９］
図９、図３４〜図３６と表４１〜表４５は、数値実施例９のズームレンズ系を示している。図９はレンズ構成図である。図３４、図３５、図３６は、短焦点距離端、中間焦点距離、長焦点距離端における収差曲線図である。表４１は面データ、表４２は非球面データ、表４３は可変間隔量データ、表４４はズームレンズ群データ、表４５は条件式データである。
【０１３２】
数値実施例９のズームレンズ系は、物体側から順に、前側レンズ群ＧＦと、後続レンズ群ＧＲとから構成されている。前側レンズ群ＧＦは、物体側から順に、正の屈折力の第１レンズ群Ｇ１と、負の屈折力の第２レンズ群Ｇ２と、負の屈折力の第３レンズ群Ｇ３とから構成されている。後続レンズ群ＧＲは、全体として正の屈折力を有しており、物体側から順に、正の屈折力の第４レンズ群Ｇ４と、正の屈折力の第５レンズ群Ｇ５と、負の屈折力の第６レンズ群Ｇ６とから構成されている。
【０１３３】
第１レンズ群Ｇ１は、物体側から順に、物体側に凸の負メニスカスレンズ１１Ｃと、物体側に凸の平凸正レンズ１２Ｃと、物体側に凸の正メニスカスレンズ１３Ｃとから構成されている。負メニスカスレンズ１１Ｃと平凸正レンズ１２Ｃは、接合されている。
【０１３４】
第２レンズ群Ｇ２は、物体側から順に、物体側に凸の負メニスカスレンズ２１Ｃと、両凹負レンズ２２Ｃと、両凸正レンズ２３Ｃとから構成されている。負メニスカスレンズ２１Ｃは、ガラスレンズの物体側の面に合成樹脂材料による非球面層が接着形成されたハイブリッドレンズから構成されている。両凹負レンズ２２Ｃと両凸正レンズ２３Ｃは、接合されている。
【０１３５】
第３レンズ群Ｇ３は、物体側から順に、両凹負レンズ３１Ｃと、物体側に凸の正メニスカスレンズ３２Ｃとから構成されている。両凹負レンズ３１Ｃと正メニスカスレンズ３２Ｃは、接合されている。
【０１３６】
第４レンズ群Ｇ４は、物体側から順に、開口絞りＳＰと、物体側に凸の正メニスカスレンズ４１Ｃと、両凸正レンズ４２Ｃと、両凹負レンズ４３Ｃとから構成されている。両凸正レンズ４２Ｃと両凹負レンズ４３Ｃは、接合されている。
【０１３７】
第５レンズ群Ｇ５は、物体側から順に、両凸正レンズ５１Ｃと、両凹負レンズ５２Ｃと、両凸正レンズ５３Ｃと、両凸正レンズ５４Ｃとから構成されている。両凸正レンズ５１Ｃは、物体側の面に非球面を有している。両凸正レンズ５３Ｃは、像側の面に非球面を有している。両凹負レンズ５２Ｃと両凸正レンズ５３Ｃは、接合されている。
【０１３８】
第６レンズ群Ｇ６は、物体側から順に、両凹負レンズ６１Ｃと、物体側に凸の正メニスカスレンズ６２Ｃと、像側に凸の正メニスカスレンズ６３Ｃとから構成されている。両凹負レンズ６１Ｃと正メニスカスレンズ６２Ｃは、接合されている。
【０１３９】
（表４１）
f=18.5〜43.5〜101.9、F=2.9〜2.9〜2.9、w=39.0〜17.8〜7.7、Ya=14.24
面番号        R           D           Nd            νd        硝種（硝材）
1         187.168       2.170      1.85478         24.80      S-NBH56(OHARA)
2          80.603       7.600      1.59410         60.47      FCD600(HOYA)
3            ∞         0.150
4          63.500       6.520      1.75500         52.32      S-LAH97(OHARA)
5         192.516         D1
6*        239.004       0.100      1.52972         42.53        光学樹脂
7         160.004       1.500      1.88300         40.80      TAFD30(HOYA)
8          22.078       8.359
9         -55.226       1.200      1.83481         42.74      S-LAH55VS(OHARA)
10         33.000       8.670      1.90366         31.31      TAFD25(HOYA)
11        -55.650         D2
12        -37.260       0.900      1.72000         50.23      S-LAL10(OHARA)
13         38.462       3.882      1.85478         24.80      S-NBH56(OHARA)
14      51649.350         D3
15          絞り        1.400
16         50.801       4.000      1.90043         37.37      TAFD37A(HOYA)
17        975.716       0.200
18         48.000       5.900      1.49700         81.55      S-FPL51(OHARA)
19        -51.398       1.200      2.00100         29.13      TAFD55(HOYA)
20        187.444         D4
21*        35.764       7.028      1.59201         67.02      M-PCD51(HOYA)
22        -70.613       0.757
23        -93.412       1.100      1.65412         39.68      S-NBH5(OHARA)
24         29.706       6.000      1.49710         81.56      M-FCD1(HOYA)
25*       -83.798       0.120
26         95.634       3.800      2.00100         29.13      TAFD55(HOYA)
27       -104.300         D5
28       -102.465       1.000      1.95375         32.32      TAFD45(HOYA)
29         25.594       3.200      1.72825         28.46      S-TIH10(OHARA)
30         57.718       2.000
31        -82.802       3.000      1.72916         54.09      S-LAL19(OHARA)
32        -37.073         FB
＊は回転対称非球面である。
（表４２）
面番号   K          A4               A6               A8               A10
6        0     4.78916E-06     -6.98122E-09      9.90946E-12     -7.96602E-15
21       0    -3.33582E-06      7.06755E-09      0.00000E+00      0.00000E+00
25       0     1.37019E-05      5.59672E-09      2.30684E-11      0.00000E+00
（表４３）
D1     D2      D3       D4      D5      BF
短焦点距離端 f=18.5   1.270   6.060  33.889   15.290   2.904   30.120
中間焦点距離 f=43.5  23.139   8.060  12.538    6.435   2.587   47.793
長焦点距離端 f=102   46.858  17.379   1.027    3.167   1.282   66.140
（表４４）
群                             焦点距離
第１レンズ群                     106.2
第２レンズ群                    -37.37
第３レンズ群                    -63.36
第４レンズ群                     71.96
第５レンズ群                     28.89
第６レンズ群                    -55.85
第１〜第３レンズ群               短焦点距離端：-25.99、長焦点距離端：-61.90
後続レンズ群                     短焦点距離端：37.98、長焦点距離端：34.86
（表４５）
（１）Ｔｗｔ／Ｔｗｍ      -0.07
（２）ｆｒｗ／Ｙａ         2.67
（３）｜ｆ３／ｆｆｗ｜      2.43
（４）｜ｆ３／ｆｆｔ｜      1.02
（５）ｆ２／ｆ３             0.59
（６）Ｒ３ｇｆ／Ｒ２ｇｒ    0.67
（７）Ｂｆｗ／Ｙａ          2.12
（８）Ｂｆｗ／ｆｗ          1.62
（９）ｆ１／ｆｗ           2.80
（１０）νｐＭＡＸ         31.3
（１１）ｆ１／Ｔｗｔ１     2.29
（１２）ｆ１／ｆ２３ｗ    -5.74
（１３）Ｄ（２Ｒ−３Ｆ）Ｔ／Ｄ（２Ｆ−３Ｒ）Ｔ     0.41
（１４）（１−Ｍｔ＾２）×ＭＲｔ＾２                2.47
（１５）ｆ４／ｆ６         -（非該当）
（１６）｜ｆＮ／ｆｒｍ｜   1.60
（１７）ν３ｎ／ν３ｐ      2.03
（１８）Ｎ３ｐ               1.8548
（１９）Ｎ３ａ               1.7874
【０１４０】
図３７、図３８を参照して、本実施形態のズームレンズ系を搭載したデジタルカメラ（撮影装置）１００について説明する。
【０１４１】
デジタルカメラ１００は、カメラボディ（筐体）１０１と、撮影レンズ１０２と、ファインダ１０３と、フラッシュ１０４と、シャッタボタン１０５と、電源ボタン１０６と、液晶モニタ１０７と、操作ボタン１０８と、メモリカードスロット１０９と、ズームスイッチ１１０とを有している。
【０１４２】
カメラボディ１０１は、デジタルカメラ１００の各構成要素を収納する。撮影レンズ１０２は、例えば、本実施形態のズームレンズ系をレンズ鏡筒に組み込んでユニット化したものである。ファインダ１０３は、被写体や構図を決めるための覗き窓である。フラッシュ１０４は、夜間撮影や暗所撮影の際に閃光を発するものである。シャッタボタン１０５は、デジタルカメラ１００による撮影を実行するための物理スイッチである。電源ボタン１０６は、デジタルカメラ１００の電源のオンオフを切り替えるための物理スイッチである。液晶モニタ１０７は、デジタルカメラ１００による撮影画像等を表示する。操作ボタン１０８は、デジタルカメラ１００の撮影モード等を設定するための物理スイッチである。メモリカードスロット１０９は、デジタルカメラ１００による撮影画像等を記憶するメモリカード（図示略）を差し込むためのスロットである。ズームスイッチ１１０は、短焦点距離端と長焦点距離端の間での変倍（ズーミング）を行うための物理スイッチである。ズームスイッチ１１０を操作することにより、本実施形態のズームレンズ系のレンズ群間隔が適宜変更される。
【０１４３】
デジタルカメラ１００は、カメラボディ１０１の内部の機能構成要素として、中央演算装置１１１と、画像処理装置１１２と、受光素子１１３と、信号処理装置１１４と、半導体メモリ１１５と、通信カード１１６とを有している。
【０１４４】
中央演算装置１１１は、デジタルカメラ１００の内部における各種の演算処理を行う。画像処理装置１１２は、デジタルカメラ１００による撮影画像に対して各種の画像処理を行う。受光素子１１３は、測光処理に利用される外部の光を取り入れて受光する。信号処理装置１１４は、撮影指示信号や画像処理信号等の各種の信号処理を行う。半導体メモリ１１５は、デジタルカメラ１００による撮影画像の一時記憶領域を構成する。通信カード１１６は、外部装置（図示略）との無線通信等を可能にするためのものである。
【０１４５】
ここで説明したデジタルカメラ１００の構成はあくまで一例であり、種々の設計変更が可能である（デジタルカメラ１００の具体的態様には自由度がある）。
【０１４６】
また、本実施形態のズームレンズ系は、上述したデジタルカメラ１００以外であっても、例えば、交換レンズ、携帯情報端末装置、ビデオカメラ、銀塩カメラ、光学センサ、投影光学系（プロジェクタ）等に適用することができる。
【符号の説明】
【０１４７】
ＧＦ  前側レンズ群
ＧＲ  後続レンズ群
Ｇ１  第１レンズ群
Ｇ２  第２レンズ群
Ｇ３  第３レンズ群（フォーカスレンズ群）
Ｇ４  第４レンズ群
Ｇ５  第５レンズ群（第Ｎレンズ群）
Ｇ６  第６レンズ群
Ｇ７  第７レンズ群
１００  デジタルカメラ（撮影装置）
【図１】
2020154286.tif 000004
【図２】
2020154286.tif 000005
【図３】
2020154286.tif 000006
【図４】
2020154286.tif 000007
【図５】
2020154286.tif 000008
【図６】
2020154286.tif 000009
【図７】
2020154286.tif 000010
【図８】
2020154286.tif 000011
【図９】
2020154286.tif 000012
【図１０】
2020154286.tif 000013
【図１１】
2020154286.tif 000014
【図１２】
2020154286.tif 000015
【図１３】
2020154286.tif 000016
【図１４】
2020154286.tif 000017
【図１５】
2020154286.tif 000018
【図１６】
2020154286.tif 000019
【図１７】
2020154286.tif 000020
【図１８】
2020154286.tif 000021
【図１９】
2020154286.tif 000022
【図２０】
2020154286.tif 000023
【図２１】
2020154286.tif 000024
【図２２】
2020154286.tif 000025
【図２３】
2020154286.tif 000026
【図２４】
2020154286.tif 000027
【図２５】
2020154286.tif 000028
【図２６】
2020154286.tif 000029
【図２７】
2020154286.tif 000030
【図２８】
2020154286.tif 000031
【図２９】
2020154286.tif 000032
【図３０】
2020154286.tif 000033
【図３１】
2020154286.tif 000034
【図３２】
2020154286.tif 000035
【図３３】
2020154286.tif 000036
【図３４】
2020154286.tif 000037
【図３５】
2020154286.tif 000038
【図３６】
2020154286.tif 000039
【図３７】
2020154286.tif 000040
【図３８】
2020154286.tif 000041